(57)【特許請求の範囲】
【請求項１】
下記を備える、ワイヤレス通信のための第１の装置；
前記第１の装置の媒体アクセス制御（ＭＡＣ）アドレスを決定するように構成された処理システムと、
下記を行うように構成される、送信機；
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記ＭＵパケットが送信された後に、前記ＭＡＣアドレスに基づく前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項２】
下記を備える、ワイヤレス通信のための第１の装置；
前記第１の装置の媒体アクセス制御（ＭＡＣ）アドレスを決定するように構成された処理システムと、
下記を行うように構成される、送信機；
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信機は、前記ＭＵパケットのプリアンブル中の前記ＭＡＣアドレスの前記指示を送信するように構成され、前記ＭＡＣアドレスの前記指示は、超高スループット（ＶＨＴ）信号Ａ（ＶＨＴ−ＳＩＧ−Ａ）フィールドの後、および前記プリアンブル中のトレーニングフィールドの前に位置付けられる、第１の装置。
【請求項３】
下記を備える、ワイヤレス通信のための第１の装置；
前記第１の装置の媒体アクセス制御（ＭＡＣ）アドレスを決定するように構成された処理システムと、
下記を行うように構成される、送信機；
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信機は、前記ＭＵパケットのプリアンブル中の前記ＭＡＣアドレスの前記指示を送信するように構成され、前記プリアンブル中のレガシ信号（Ｌ−ＳＩＧ）フィールドの一部は、前記ＭＡＣアドレスの前記指示が前記プリアンブル中に含まれることをシグナリングする、第１の装置。
【請求項４】
前記送信機は、前記ＭＵパケットに先立って送信されるフレーム中の前記ＭＡＣアドレスの前記指示を送信するように構成され、前記フレームは、制御フレームまたは制御拡張制御フレームのうちの少なくとも１つである、請求項１に記載の第１の装置。
【請求項５】
前記送信機は、前記ＭＵパケットに先立って送信されるフレーム中の前記ＭＡＣアドレスの前記指示を送信するように構成され、前記フレームは送信可（ＣＴＳ）フレームである、請求項１に記載の第１の装置。
【請求項６】
下記を備える、ワイヤレス通信のための第１の装置；
前記第１の装置の媒体アクセス制御（ＭＡＣ）アドレスを決定するように構成された処理システムと、
下記を行うように構成される、送信機；
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信機は、前記ＭＵパケットに先立って送信されるフレーム中の前記ＭＡＣアドレスの前記指示を送信するように構成され、前記フレームは、前記グループＩＤと関連付けられた前記１つまたは複数の第２の装置のうちの少なくとも１つに関して下記を備える、第１の装置；
空間ストリームの数の指示と、
直接リンクが前記第１の装置と前記１つまたは複数の第２の装置のうちの前記少なくとも１つとの間に確立された場合に前記第１の装置によって割り当てられた、マルチユーザ識別子（ＭＩＤ）の指示または関連識別子（ＡＩＤ）の指示。
【請求項７】
前記送信機は、前記ＭＵパケットに先立って送信されるフレーム中の前記ＭＡＣアドレスの前記指示を送信するように構成され、前記フレームは、前記１つまたは複数の第２の装置が前記ＭＵパケットに対して属する前記グループを示す一時的なグループＩＤの指示を備える、請求項１に記載の第１の装置。
【請求項８】
下記を備える、ワイヤレス通信のための第１の装置；
前記第１の装置の媒体アクセス制御（ＭＡＣ）アドレスを決定するように構成された処理システムと、
下記を行うように構成される、送信機；
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信機は、前記ＭＵパケットに先立って送信されるフレーム中の前記ＭＡＣアドレスの前記指示を送信するように構成され、前記フレームは、再定義されたヌルデータパケットアナウンスメント（ＮＤＰＡ）フレームであり、前記再定義されたＮＤＰＡフレームのサウンディングシーケンスフィールド中のビットは、前記フレームが従来のＮＤＰＡフレームでないことを示す、第１の装置。
【請求項９】
前記送信機は、前記ＭＵパケットに先立って送信されるフレーム中の前記第１の装置の前記ＭＡＣアドレスの前記指示を送信するように構成され、前記フレームは、前記グループＩＤに関連付けられた前記１つまたは複数の第２の装置の各々に関するＭＡＣアドレスの指示を備える、請求項１に記載の第１の装置。
【請求項１０】
下記を備える、ワイヤレス通信のための方法；
第１の装置の媒体アクセス制御（ＭＡＣ）アドレスを決定することと、
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記ＭＵパケットが送信された後に、前記ＭＡＣアドレスに基づく前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項１１】
下記を備える、ワイヤレス通信のための方法；
第１の装置の媒体アクセス制御（ＭＡＣ）アドレスを決定することと、
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記ＭＡＣアドレスの前記指示を送信することは、前記ＭＵパケットのプリアンブル中の前記ＭＡＣアドレスの前記指示を送信することを備え、前記ＭＡＣアドレスの前記指示は、超高スループット（ＶＨＴ）信号Ａ（ＶＨＴ−ＳＩＧ−Ａ）フィールドの後、および前記プリアンブル中のトレーニングフィールドの前に位置付けられる、方法。
【請求項１２】
下記を備える、ワイヤレス通信のための方法；
第１の装置の媒体アクセス制御（ＭＡＣ）アドレスを決定することと、
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記ＭＡＣアドレスの前記指示を送信することは、前記ＭＵパケットのプリアンブル中の前記ＭＡＣアドレスの前記指示を送信することを備え、前記プリアンブル中のレガシ信号（Ｌ−ＳＩＧ）フィールドの一部は、前記ＭＡＣアドレスの前記指示が前記プリアンブル中に含まれることをシグナリングする、方法。
【請求項１３】
前記ＭＡＣアドレスの前記指示を送信することは、前記ＭＵパケットに先立って送信されるフレーム中の前記ＭＡＣアドレスの前記指示を送信することを備え、前記フレームは、制御フレームまたは制御拡張制御フレームのうちの少なくとも１つである、請求項１０に記載の方法。
【請求項１４】
前記ＭＡＣアドレスの前記指示を送信することは、前記ＭＵパケットに先立って送信されるフレーム中の前記ＭＡＣアドレスの前記指示を送信することを備え、前記フレームは、送信可（ＣＴＳ）フレームである、請求項１０に記載の方法。
【請求項１５】
下記を備える、ワイヤレス通信のための方法；
第１の装置の媒体アクセス制御（ＭＡＣ）アドレスを決定することと、
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記ＭＡＣアドレスの前記指示を送信することは、前記ＭＵパケットに先立って送信されるフレーム中の前記ＭＡＣアドレスの前記指示を送信することを備え、前記フレームは、前記グループＩＤと関連付けられた前記１つまたは複数の第２の装置のうちの少なくとも１つに関して下記を備える、方法；
空間ストリームの数の指示と、
直接リンクが前記第１の装置と前記１つまたは複数の第２の装置のうちの前記少なくとも１つとの間に確立された場合に前記第１の装置によって割り当てられた、マルチユーザ識別子（ＭＩＤ）の指示または関連識別子（ＡＩＤ）の指示。
【請求項１６】
前記ＭＡＣアドレスの前記指示を送信することは、前記ＭＵパケットに先立って送信されるフレーム中の前記ＭＡＣアドレスの前記指示を送信することを備え、前記フレームは、前記１つまたは複数の第２の装置が前記ＭＵパケットに対して属する前記グループを示す一時的なグループＩＤの指示を備える、請求項１０に記載の方法。
【請求項１７】
下記を備える、ワイヤレス通信のための方法；
第１の装置の媒体アクセス制御（ＭＡＣ）アドレスを決定することと、
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記グループＩＤの解釈のために、前記第１の装置の前記ＭＡＣアドレスの指示を前記１つまたは複数の第２の装置に送信すること、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記ＭＡＣアドレスの前記指示を送信することは、前記ＭＵパケットに先立って送信されるフレーム中の前記ＭＡＣアドレスの前記指示を送信することを備え、前記フレームは、再定義されたヌルデータパケットアナウンスメント（ＮＤＰＡ）フレームであり、前記再定義されたＮＤＰＡフレームのサウンディングシーケンスフィールド中のビットは、前記フレームが従来のＮＤＰＡフレームでないことを示す、方法。
【請求項１８】
前記ＭＡＣアドレスの前記指示を送信することは、前記ＭＵパケットに先立って送信されるフレーム中の前記第１の装置の前記ＭＡＣアドレスの前記指示を送信することを備え、前記フレームは、前記グループＩＤに関連付けられた前記１つまたは複数の第２の装置の各々に関するＭＡＣアドレスの指示を備える、請求項１０に記載の方法。
【請求項１９】
下記を備える、ワイヤレス通信のための第１の装置；
前記第１の装置の媒体アクセス制御（ＭＡＣ）アドレスを決定するための手段と、
マルチユーザ（ＭＵ）パケットを１つまたは複数の第２の装置に送信するための手段、ここにおいて、前記ＭＵパケットは、前記１つまたは複数の第２の装置が属するグループを示すグループ識別子（ＩＤ）の指示を備え、前記送信するための手段はまた、前記ＭＵパケットが前記１つまたは複数の第２の装置への直接リンクＭＵパケット送信である場合、前記ＭＵパケットが送信された後に、前記ＭＡＣアドレスに基づく前記グループＩＤの解釈のために、前記１つまたは複数の第２の装置に前記第１の装置の前記ＭＡＣアドレスの指示を送信するように構成される、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項２０】
下記を備える、ワイヤレス通信のための第１の装置；
前記第１の装置の媒体アクセス制御（ＭＡＣ）アドレスを決定するための手段と、
マルチユーザ（ＭＵ）パケットを１つまたは複数の第２の装置に送信するための手段、ここにおいて、前記ＭＵパケットは、前記１つまたは複数の第２の装置が属するグループを示すグループ識別子（ＩＤ）の指示を備え、前記送信するための手段はまた、前記ＭＵパケットが前記１つまたは複数の第２の装置への直接リンクＭＵパケット送信である場合、前記グループＩＤの解釈のために、前記１つまたは複数の第２の装置に前記第１の装置の前記ＭＡＣアドレスの指示を送信するように構成される、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信するための手段は、前記ＭＵパケットのプリアンブル中の前記ＭＡＣアドレスの前記指示を送信するように構成され、前記ＭＡＣアドレスの前記指示は、超高スループット（ＶＨＴ）信号Ａ（ＶＨＴ−ＳＩＧ−Ａ）フィールドの後、および前記プリアンブル中のトレーニングフィールドの前に位置付けられる、第１の装置。
【請求項２１】
下記を備える、ワイヤレス通信のための第１の装置；
前記第１の装置の媒体アクセス制御（ＭＡＣ）アドレスを決定するための手段と、
マルチユーザ（ＭＵ）パケットを１つまたは複数の第２の装置に送信するための手段、ここにおいて、前記ＭＵパケットは、前記１つまたは複数の第２の装置が属するグループを示すグループ識別子（ＩＤ）の指示を備え、前記送信するための手段はまた、前記ＭＵパケットが前記１つまたは複数の第２の装置への直接リンクＭＵパケット送信である場合、前記グループＩＤの解釈のために、前記１つまたは複数の第２の装置に前記第１の装置の前記ＭＡＣアドレスの指示を送信するように構成される、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信するための手段は、前記ＭＵパケットのプリアンブル中の前記ＭＡＣアドレスの前記指示を送信するように構成され、前記プリアンブル中のレガシ信号（Ｌ−ＳＩＧ）フィールドの一部は、前記ＭＡＣアドレスの前記指示が前記プリアンブル中に含まれることをシグナリングする、第１の装置。
【請求項２２】
前記送信するための手段は、前記ＭＵパケットに先立って送信されるフレーム中の前記ＭＡＣアドレスの前記指示を送信するように構成され、前記フレームは、制御フレームまたは制御拡張制御フレームのうちの少なくとも１つである、請求項１９に記載の第１の装置。
【請求項２３】
前記送信するための手段は、前記ＭＵパケットに先立って送信されるフレーム中の前記ＭＡＣアドレスの前記指示を送信するように構成され、前記フレームは送信可（ＣＴＳ）フレームである、請求項１９に記載の第１の装置。
【請求項２４】
下記を備える、ワイヤレス通信のための第１の装置；
前記第１の装置の媒体アクセス制御（ＭＡＣ）アドレスを決定するための手段と、
マルチユーザ（ＭＵ）パケットを１つまたは複数の第２の装置に送信するための手段、ここにおいて、前記ＭＵパケットは、前記１つまたは複数の第２の装置が属するグループを示すグループ識別子（ＩＤ）の指示を備え、前記送信するための手段はまた、前記ＭＵパケットが前記１つまたは複数の第２の装置への直接リンクＭＵパケット送信である場合、前記グループＩＤの解釈のために、前記１つまたは複数の第２の装置に前記第１の装置の前記ＭＡＣアドレスの指示を送信するように構成される、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信するための手段は、前記ＭＵパケットに先立って送信されるフレーム中の前記ＭＡＣアドレスの前記指示を送信するように構成され、前記フレームは、前記グループＩＤと関連付けられた前記１つまたは複数の第２の装置のうちの少なくとも１つに関して下記を備える、第１の装置； 
空間ストリームの数の指示と、
直接リンクが前記第１の装置と前記１つまたは複数の第２の装置のうちの前記少なくとも１つとの間に確立された場合に前記第１の装置によって割り当てられた、マルチユーザ識別子（ＭＩＤ）の指示または関連識別子（ＡＩＤ）の指示。
【請求項２５】
前記送信するための手段は、前記ＭＵパケットに先立って送信されるフレーム中の前記ＭＡＣアドレスの前記指示を送信するように構成され、前記フレームは、前記１つまたは複数の第２の装置が前記ＭＵパケットに対して属する前記グループを示す一時的なグループＩＤの指示を備える、請求項１９に記載の第１の装置。
【請求項２６】
下記を備える、ワイヤレス通信のための第１の装置；
前記第１の装置の媒体アクセス制御（ＭＡＣ）アドレスを決定するための手段と、
マルチユーザ（ＭＵ）パケットを１つまたは複数の第２の装置に送信するための手段、ここにおいて、前記ＭＵパケットは、前記１つまたは複数の第２の装置が属するグループを示すグループ識別子（ＩＤ）の指示を備え、前記送信するための手段はまた、前記ＭＵパケットが前記１つまたは複数の第２の装置への直接リンクＭＵパケット送信である場合、前記グループＩＤの解釈のために、前記１つまたは複数の第２の装置に前記第１の装置の前記ＭＡＣアドレスの指示を送信するように構成される、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記送信するための手段は、前記ＭＵパケットに先立って送信されるフレーム中の前記ＭＡＣアドレスの前記指示を送信するように構成され、前記フレームは、再定義されたヌルデータパケットアナウンスメント（ＮＤＰＡ）フレームであり、前記再定義されたＮＤＰＡフレームのサウンディングシーケンスフィールド中のビットは、前記フレームが従来のＮＤＰＡフレームでないことを示す、第１の装置。
【請求項２７】
前記送信するための手段は、前記ＭＵパケットに先立って送信されるフレーム中の前記第１の装置の前記ＭＡＣアドレスの前記指示を送信するように構成され、前記フレームは、前記グループＩＤに関連付けられた前記１つまたは複数の第２の装置の各々に関するＭＡＣアドレスの指示を備える、請求項１９に記載の第１の装置。
【請求項２８】
下記を備えるコンピュータプログラム；
コンピュータに、第１の装置の媒体アクセス制御（ＭＡＣ）アドレスを決定させるためのコードと、
前記コンピュータに、マルチユーザ（ＭＵ）パケットを１つまたは複数の第２の装置に送信させるためのコードと、ここにおいて、前記ＭＵパケットは、前記１つまたは複数の第２の装置が属するグループを示すグループ識別子（ＩＤ）の指示を備える、
前記ＭＵパケットが前記１つまたは複数の第２の装置への直接リンクＭＵパケット送信である場合、前記コンピュータに、前記ＭＵパケットが送信された後に、前記ＭＡＣアドレスに基づく前記グループＩＤの解釈のために、前記第１の装置の前記ＭＡＣアドレスの指示を前記１つまたは複数の第２の装置に送信させるためのコード、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項２９】
下記を備える、ワイヤレスノード；
少なくとも１つのアンテナと、
前記ワイヤレスノードの媒体アクセス制御（ＭＡＣ）アドレスを決定するように構成された処理システムと、
下記を行うように構成される、送信機；
前記少なくとも１つのアンテナを介してマルチユーザ（ＭＵ）パケットを１つまたは複数の装置に送信することと、ここにおいて、前記ＭＵパケットは、前記１つまたは複数の装置が属するグループを示すグループ識別子（ＩＤ）の指示を備える、
前記ＭＵパケットが前記１つまたは複数の第２の装置への直接リンクＭＵパケット送信である場合、前記ＭＵパケットが送信された後に、前記少なくとも１つのアンテナを介して、前記ＭＡＣアドレスに基づく前記グループＩＤの解釈のために、前記ワイヤレスノードの前記ＭＡＣアドレスの指示を前記１つまたは複数の装置に送信すること、
ここにおいて前記グループＩＤおよび前記ＭＡＣアドレスを使用することは、前記ワイヤレスノードが、ベーシックサービスセットにある他の局またはアクセスポイントから独立した、そのグループＩＤを管理することを可能にする。
【請求項３０】
下記を備える、第２の装置から直接リンク送信を受信することができるワイヤレス通信のための第１の装置；
下記を行うように構成される受信機と；
マルチユーザ（ＭＵ）パケットを第２の装置から受信することと、ここにおいて、前記ＭＵパケットは、前記第１の装置が属するグループを示すグループ識別子（ＩＤ）の指示を備え、
前記ＭＵパケットが受信された後に、前記第２の装置の媒体アクセス制御（ＭＡＣ）アドレスの指示を受信すること、
前記ＭＡＣアドレスに基づいて前記グループＩＤを解釈するように構成された処理システム、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項３１】
前記処理システムは、前記ＭＵパケットが前記第２の装置によって送信された、ならびに前記グループＩＤが前記第２の装置に関連付けられるように、前記ＭＡＣアドレスが前記第２の装置に関連付けられることを決定することによって前記グループＩＤを解釈するように構成される、請求項３０に記載の第１の装置。
【請求項３２】
前記受信機は、前記第２の装置からメッセージを受信するように構成され、前記メッセージは、前記グループへの前記第１の装置の割り当てを示し、ならびに前記グループＩＤに関して前記第２の装置から前記グループに送信されるべきＭＵパケットにおける前記第１の装置に関連付けられた空間ストリームを示す、請求項３０に記載の第１の装置。
【請求項３３】
前記第１の装置に対する前記グループＩＤに関連付けられた前記空間ストリームを使用して前記ＭＵパケットを復号することをさらに備える、請求項３２に記載の第１の装置。
【請求項３４】
前記処理システムは、最大でも前記ＭＵパケットの持続時間の間、または、ポイント調整機能（ＰＣＦ）インタフレーム空間（ＰＩＦＳ）よりも長いギャップが生じるまで有効であるとして、前記グループへの前記第１の装置の前記割り当てを考慮するようにさらに構成される、請求項３２に記載の第１の装置。
【請求項３５】
下記を備える、第２の装置から直接リンク送信を受信することができるワイヤレス通信のための第１の装置；
下記を行うように構成される受信機と；
マルチユーザ（ＭＵ）パケットを第２の装置から受信することと、ここにおいて、前記ＭＵパケットは、前記第１の装置が属するグループを示すグループ識別子（ＩＤ）の指示を備え、
前記第２の装置の媒体アクセス制御（ＭＡＣ）アドレスの指示を受信すること、
前記ＭＡＣアドレスに基づいて前記グループＩＤを解釈するように構成された処理システム、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記受信機は、前記ＭＵパケットのプリアンブル中の前記ＭＡＣアドレスの前記指示を受信するように構成され、前記プリアンブル中のレガシ信号（Ｌ−ＳＩＧ）フィールドの一部は、前記ＭＡＣアドレスの前記指示が前記プリアンブル中に含まれることをシグナリングし、前記処理システムは、前記Ｌ−ＳＩＧフィールドの前記一部に基づいて、前記プリアンブル中の前記ＭＡＣアドレスの前記指示を位置付けする、第１の装置。
【請求項３６】
前記受信機は、前記ＭＵパケットに先立って受信されるフレーム中の前記ＭＡＣアドレスの前記指示を受信するように構成され、前記受信機はさらに、前記第１の装置が属する別のグループを示す別のグループＩＤの指示を備える別のＭＵパケットを受信するように構成され、前記他のＭＵパケットは別のＭＡＣアドレスを有する別のフレームにすぐに先行されず、前記処理システムは下記を行うように構成される、請求項３０に記載の第１の装置；
前記他のＭＵパケットがアクセスポイント（ＡＰ）によって送信されたことを決定することと、
前記ＡＰによって割り当てられたとして前記他のグループＩＤを解釈すること。
【請求項３７】
前記受信機は、前記ＭＵパケットに先立って受信されるフレーム中の前記ＭＡＣアドレスの前記指示を受信するように構成され、前記受信機はさらに下記を行うように構成される、請求項３０に記載の第１の装置；
前記第１の装置が属する別のグループを示す別のグループＩＤの指示を備える別のＭＵパケットを受信することと、
前記他のＭＵパケットに先立って受信された別のフレーム中のベーシックサービスセット識別子（ＢＳＳＩＤ）の指示を受信すること、ここにおいて前記処理システムは前記ＢＳＳＩＤに基づいて前記他のグループＩＤを解釈するように構成される。
【請求項３８】
下記を備える、ワイヤレス通信のための方法；
第１の装置で、マルチユーザ（ＭＵ）パケットを第２の装置から受信することと、ここにおいて、前記ＭＵパケットは、前記第１の装置が属するグループを示すグループ識別子（ＩＤ）の指示を備え、前記第１の装置は第２の装置から直接リンク送信を受信することができ、
前記ＭＵパケットが受信された後に、前記第２の装置の媒体アクセス制御（ＭＡＣ）アドレスの指示を受信することと、
前記ＭＡＣアドレスに基づいて前記グループＩＤを解釈すること、ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項３９】
前記解釈することは、前記ＭＵパケットが前記第２の装置によって送信され、ならびに前記グループＩＤが前記第２の装置に関連付けられるように、前記ＭＡＣアドレスが前記第２の装置に関連付けられることを決定することによって前記グループＩＤを解釈することを備える、請求項３８に記載の方法。
【請求項４０】
前記第２の装置からメッセージを受信することをさらに備え、前記メッセージは、前記グループへの前記第１の装置の割り当てを示し、ならびに前記グループＩＤに関して前記第２の装置から前記グループに送信されるべきＭＵパケットにおける前記第１の装置に関連付けられた空間ストリームを示す、請求項３８に記載の方法。
【請求項４１】
前記第１の装置に対する前記グループＩＤに関連付けられた前記空間ストリームを使用して前記ＭＵパケットを復号することをさらに備える、請求項４０に記載の方法。
【請求項４２】
最大でも前記ＭＵパケットの持続時間の間、または、ポイント調整機能（ＰＣＦ）インタフレーム空間（ＰＩＦＳ）よりも長いギャップが生じるまで有効であるとして、前記グループへの前記第１の装置の前記割り当てを考慮することをさらに備える、請求項４０に記載の方法。
【請求項４３】
下記を備える、ワイヤレス通信のための方法；
第１の装置で、マルチユーザ（ＭＵ）パケットを第２の装置から受信することと、ここにおいて、前記ＭＵパケットは、前記第１の装置が属するグループを示すグループ識別子（ＩＤ）の指示を備え、前記第１の装置は第２の装置から直接リンク送信を受信することができ、
前記第２の装置の媒体アクセス制御（ＭＡＣ）アドレスの指示を受信することと、
前記ＭＡＣアドレスに基づいて前記グループＩＤを解釈すること、ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記ＭＡＣアドレスの前記指示を受信することは、前記ＭＵパケットのプリアンブル中の前記ＭＡＣアドレスの前記指示を受信することを備え、前記プリアンブル中のレガシ信号（Ｌ−ＳＩＧ）フィールドの一部は、前記ＭＡＣアドレスの前記指示が前記プリアンブル中に含まれることをシグナリングし、前記方法はさらに、前記Ｌ−ＳＩＧフィールドの前記一部に基づいて、プリアンブル中の前記ＭＡＣアドレスの前記指示を位置付けすることを備える、方法。
【請求項４４】
前記ＭＡＣアドレスの前記指示を受信することは、前記ＭＵパケットに先立って受信されるフレーム中の前記ＭＡＣアドレスの前記指示を受信することを備え、前記方法はさらに下記を備える請求項３８に記載の方法；
前記第１の装置が属する別のグループを示す別のグループＩＤの指示を備える別のＭＵパケットを受信することと、ここにおいて前記他のＭＵパケットは、別のＭＡＣアドレスを有する別のフレームにすぐに先行されない、
前記他のＭＵパケットがアクセスポイント（ＡＰ）によって送信されたことを決定することと、
前記ＡＰによって割り当てられたとして前記他のグループＩＤを解釈すること。
【請求項４５】
前記ＭＡＣアドレスの前記指示を受信することは、前記ＭＵパケットに先立って受信されるフレーム中の前記ＭＡＣアドレスの前記指示を受信することを備え、前記方法はさらに下記を備える請求項３８に記載の方法；
前記第１の装置が属する別のグループを示す別のグループＩＤの指示を備える別のＭＵパケットを受信することと、
前記他のＭＵパケットに先立って受信された別のフレーム中のベーシックサービスセット識別子（ＢＳＳＩＤ）の指示を受信することと、
前記ＢＳＳＩＤに基づいて前記他のグループＩＤを解釈すること。
【請求項４６】
下記を備える、第２の装置から直接リンク送信を受信することができるワイヤレス通信のための第１の装置；
前記第２の装置からマルチユーザ（ＭＵ）パケットを受信するための手段と、ここにおいて、前記ＭＵパケットは、前記第１の装置が属するグループを示すグループ識別子（ＩＤ）の指示を備え、前記受信するための手段はさらに、前記ＭＵパケットが受信された後に、前記第２の装置の媒体アクセス制御（ＭＡＣ）アドレスの指示を受信するように構成され、
前記ＭＡＣアドレスに基づいて前記グループＩＤを解釈するための手段、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項４７】
前記解釈するための手段は、前記ＭＵパケットが前記第２の装置によって送信され、ならびに前記グループＩＤが前記第２の装置に関連付けられるように、前記ＭＡＣアドレスが前記第２の装置に関連付けられることを決定することによって前記グループＩＤを解釈するように構成される、請求項４６に記載の第１の装置。
【請求項４８】
前記受信するための手段は、前記第２の装置からメッセージを受信するように構成され、前記メッセージは、前記グループへの前記第１の装置の割り当てを示し、ならびに前記グループＩＤに関して前記第２の装置から前記グループに送信されるべきＭＵパケットにおける前記第１の装置に関連付けられた空間ストリームを示す、請求項４６に記載の第１の装置。
【請求項４９】
前記第１の装置に対する前記グループＩＤに関連付けられた前記空間ストリームを使用して前記ＭＵパケットを復号するための手段をさらに備える、請求項４８に記載の第１の装置。
【請求項５０】
最大でも前記ＭＵパケットの持続時間の間、または、ポイント調整機能（ＰＣＦ）インタフレーム空間（ＰＩＦＳ）よりも長いギャップが生じるまで有効であるとして、グループへの第１の装置の前記割り当てを考慮するための手段をさらに備える、請求項４８に記載の第１の装置。
【請求項５１】
下記を備える、第２の装置から直接リンク送信を受信することができるワイヤレス通信のための第１の装置；
前記第２の装置からマルチユーザ（ＭＵ）パケットを受信するための手段と、ここにおいて、前記ＭＵパケットは、前記第１の装置が属するグループを示すグループ識別子（ＩＤ）の指示を備え、前記受信するための手段はさらに、前記第２の装置の媒体アクセス制御（ＭＡＣ）アドレスの指示を受信するように構成され、
前記ＭＡＣアドレスに基づいて前記グループＩＤを解釈するための手段、
ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にし、
前記受信するための手段は、前記ＭＵパケットのプリアンブル中の前記ＭＡＣアドレスの前記指示を受信するように構成され、前記プリアンブル中のレガシ信号（Ｌ−ＳＩＧ）フィールドの一部は、前記ＭＡＣアドレスの前記指示が前記プリアンブル中に含まれることをシグナリングし、前記第１の装置はさらに、前記Ｌ−ＳＩＧフィールドの前記一部に基づいて、前記プリアンブル中の前記ＭＡＣアドレスの前記指示を位置付けするための手段を備える、第１の装置。
【請求項５２】
前記受信するための手段は、下記を行うように構成される請求項４６に記載の第１の装置；
前記ＭＵパケットに先立って受信されるフレーム中の前記ＭＡＣアドレスの前記指示を受信することと、
前記第１の装置が属する別のグループを示す別のグループＩＤの指示を備える別のＭＵパケットを受信することと、ここにおいて前記他のＭＵパケットは、別のＭＡＣアドレスを有する別のフレームにすぐに先行されず、前記第１の装置はさらに下記を備える；
前記他のＭＵパケットがアクセスポイント（ＡＰ）によって送信されたことを決定するための手段と、
前記ＡＰによって割り当てられたとして前記他のグループＩＤを解釈するための手段。
【請求項５３】
前記受信するための手段は、下記を行うように構成される請求項４６に記載の第１の装置；
前記ＭＵパケットに先立って受信されるフレーム中の前記ＭＡＣアドレスの前記指示を受信することと、
前記第１の装置が属する別のグループを示す別のグループＩＤの指示を備える別のＭＵパケットを受信することと、
前記他のＭＵパケットに先立って受信された別のフレーム中のベーシックサービスセット識別子（ＢＳＳＩＤ）の指示を受信すること、ここにおいて前記解釈するための手段は前記ＢＳＳＩＤに基づいて前記他のグループＩＤを解釈するように構成される。
【請求項５４】
下記を備えるコンピュータプログラム； 
コンピュータに、第１の装置で、マルチユーザ（ＭＵ）パケットを第２の装置から受信させるためのコードと、ここにおいて、前記ＭＵパケットは、前記第１の装置が属するグループを示すグループ識別子（ＩＤ）の指示を備え、前記第１の装置は第２の装置から直接リンク送信を受信することができ、
前記コンピュータに、前記ＭＵパケットが受信された後に、前記第２の装置の媒体アクセス制御（ＭＡＣ）アドレスの指示を受信させるためのコードと、
前記コンピュータに、前記ＭＡＣアドレスに基づいて前記グループＩＤを解釈させるためのコード、ここにおいて前記グループＩＤおよび前記ＭＡＣアドレスを使用することは、前記第１の装置が、ベーシックサービスセットにある他の局またはアクセスポイントから独立した、そのグループＩＤを管理することを可能にする。
【請求項５５】
下記を備える、ワイヤレスノード；
少なくとも１つのアンテナと、
下記を行うように構成される受信機と；
前記少なくとも１つのアンテナを介してマルチユーザ（ＭＵ）パケットを装置から受信することと、前記ノードは前記装置から直接リンク送信を受信することができ、ここにおいて前記ＭＵパケットは、前記ワイヤレスノードが属するグループを示すグループ識別子（ＩＤ）の指示を備える、
前記少なくとも１つのアンテナを介して、前記ＭＵパケットが受信された後に、前記装置の媒体アクセス制御（ＭＡＣ）アドレスの指示を受信すること、
前記ＭＡＣアドレスに基づいて前記グループＩＤを解釈するように構成された処理システム、ここにおいて前記グループＩＤおよび前記ＭＡＣアドレスを使用することは、前記ワイヤレスノードが、ベーシックサービスセットにある他の局またはアクセスポイントから独立した、そのグループＩＤを管理することを可能にする。
【発明の詳細な説明】
【関連出願の相互参照】
【０００１】
[0001]本願は、ここに参照により組み込まれ、２０１１年３月２日に出願された米国仮特許出願第６１／４４８４８４号（代理人番号第１１０９９４Ｐ１号）の優先権を主張する。
【発明の分野】
【０００２】
[0002]本開示のある特定の態様は、概してワイヤレス通信に関し、より具体的には、直接リンクのマルチユーザ多入力多出力（ＭＵ−ＭＩＭＯ）送信を送る局（ＳＴＡ）の媒体アクセス制御（ＭＡＣ）アドレスを、その送信を受信する１つまたは複数のＳＴＡが、そのＳＴＡが属するグループを示すグループ識別子（ＩＤ）を解釈することができるように、使用することに関する。
【背景技術】
【０００３】
[0003]ワイヤレス通信システムに対して要望される帯域幅要求を増加させる問題を取り扱うために、高データスループットを達成しながらチャネルリソースを共有することにより、複数のユーザ端末が単一のアクセスポイントと通信することが可能にする異なるスキームが開発されている。多入力多出力（ＭＩＭＯ）技術は、次世代通信システムのための人気のある技法として近年登場してきたような１つのアプローチを表している。ＭＩＭＯ技術は、電気電子技術者委員会（ＩＥＥＥ）８０２．１１規格のような、いくつかの新興のワイヤレス通信規格で採用されてきた。ＩＥＥＥ８０２．１１規格は、短距離通信（例えば、数十メートルから数百メートル）のためにＩＥＥＥ８０２．１１委員会により開発されたワイヤレスローカルエリアネットワーク（ＷＬＡＮ）エアインターフェース標準規格のセットを表す。
【０００４】
[0004]ＭＩＭＯワイヤレスシステムは、データ送信用に、多数の（ＮＴ個の）送信アンテナおよび多数の（ＮＲ個の）受信アンテナを用いる。ＮＴ個の送信およびＮＲ個の受信アンテナによって形成されるＭＩＭＯチャネルは、空間チャネルまたは空間ストリームとしても称される多数の（ＮＳ個の）独立チャネルに分解され、ここにおいて、ＮＳ≦ｍｉｎ｛ＮＴ，ＮＲ｝である。ＮＳ個の独立チャネルの各々は、次元に対応する。ＭＩＭＯシステムは、複数の送信および受信アンテナにより作り出される追加の次元が利用される場合に、改善された性能（例えば、より高いスループットおよび／またはより大きな信頼性）を提供することができる。
【０００５】
[0005]単一のアクセスポイント（ＡＰ）および複数のユーザ局（ＳＴＡ）を有するワイヤレスネットワークでは、アップリンク方向およびダウンリンク方向の両方において、異なる局に向けて、複数のチャネル上で、並行した送信が生じうる。このようなシステムには、多くの課題が存在する。
【発明の概要】
【０００６】
[0006]本開示のある特定の態様は、局（ＳＴＡ）が複数の他の局（ＳＴＡ）に送るべきデータを有するワイヤレスローカルエリアネットワーク（ＷＬＡＮ）に概して適用する。空間分割多元接続（ＳＤＭＡ）技法を使用することによって、例えば、直接リンク送信ができるＳＴＡは、同時に複数のＳＴＡにデータを送信することができる。本開示のある特定の態様は、概して、直接リンクのマルチユーザ多入力多出力（ＭＵ−ＭＩＭＯ）送信を送る局（ＳＴＡ）の媒体アクセス制御（ＭＡＣ）アドレスを、その送信を受信する１つまたは複数のＳＴＡが、そのＳＴＡが属するグループを示すグループ識別子（ＩＤ）を解釈することができるように、使用することに関する。グループＩＤおよびＭＡＣアドレスを使用することは、ＳＴＡが、ベーシックサービスセット（ＢＳＳ）にあるアクセスポイント（ＡＰ）または他のＳＴＡから独立した、そのグループＩＤを独立して管理することを可能にする。
【０００７】
[0007]本開示のある特定の態様は、ワイヤレス通信のための第１の装置を提供している。第１の装置は、概して、第１の装置および送信機のＭＡＣアドレスを決定するように構成された処理システムを含む。送信機は、通常、１つまたは複数の第２の装置にマルチユーザ（ＭＵ）パケットを送信し、ここにおいて、ＭＵパケットが第２の装置が属するグループを示すグループＩＤの指示を含み、第１の装置のＭＡＣアドレスの指示を、ＭＡＣアドレスに基づく第２の装置によるグループＩＤの解釈のために、第２の装置に送信するように構成される。
[0008]本開示のある特定の態様は、ワイヤレス通信のための方法を提供している。方法は、概して、第１の装置のＭＡＣアドレスを決定すること、ＭＵパケットを１つまたは複数の第２の装置に送信すること、ここにおいて、ＭＵパケットは、第２の装置が属するグループを示すグループＩＤの指示を備え、および第１の装置のＭＡＣアドレスの指示を、ＭＡＣアドレスに基づく第２の装置によるグループＩＤの解釈のために、第２の装置に送信すること、を含む。
【０００８】
[0009]本開示のある特定の態様は、ワイヤレス通信のための第１の装置を提供している。第１の装置は、概して、第１の装置のＭＡＣアドレスを決定するための手段、およびＭＵパケットを１つまたは複数の第２の装置に送信するための手段、を含み、ここにおいて、ＭＵパケットは、第２の装置が属するグループを示すグループＩＤの指示を備え、ならびにここにおいて送信するための手段はまた、第１の装置のＭＡＣアドレスの指示を、ＭＡＣアドレスに基づく第２の装置によるグループＩＤの解釈のために、第２の装置に送信するようにも構成される。
【０００９】
[0010]本開示のある特定の態様は、ワイヤレス通信のためのコンピュータプログラム製品を提供している。コンピュータプログラム製品は、概して、第１の装置のＭＡＣアドレスを決定し、ＭＵパケットを１つまたは複数の第２の装置に送信し、ここにおいて、ＭＵパケットは、第２の装置が属するグループを示すグループＩＤの指示を備え、第１の装置のＭＡＣアドレスの指示を、ＭＡＣアドレスに基づく第２の装置によるグループＩＤの解釈のために、第２の装置に送信することが実行可能な命令を有するコンピュータ可読媒体を含む。
【００１０】
[0011]本開示のある特定の態様は、ワイヤレスノードを提供している。ワイヤレスノードは、概して、少なくとも１つのアンテナ、ワイヤレスノードのＭＡＣアドレスを決定するように構成された処理システム、および送信機を含む。送信機は、通常、少なくとも１つのアンテナを介して、ＭＵパケットを１つまたは複数の装置に送信し、ここにおいて、ＭＵパケットは装置が属するグループを示すグループＩＤの指示を備え、少なくとも１つのアンテナを介して、ワイヤレスノードのＭＡＣアドレスの指示を、ＭＡＣアドレスに基づく装置によるグループＩＤの解釈のために装置に送信するように構成される。
【００１１】
[0012]本開示のある特定の態様は、ワイヤレス通信のための第１の装置を提供している。第１の装置は、概して、受信機および処理システムを含む。受信機は、通常、ＭＵパケットを第２の装置から受信し、ここにおいて、ＭＵパケットは、第１の装置が属するグループを示すグループＩＤの指示を備え、第２の装置のＭＡＣアドレスの指示を受信するように構成される。処理システムは、通常、ＭＡＣアドレスに基づくグループＩＤを解釈するように構成される。ある特定の態様では、受信機は、第２の装置からメッセージを受信するように構成され、そのメッセージは、グループへの第１の装置の割り当てを示し、ならびにそのグループＩＤに対して、第２の装置からそのグループに送信されたＭＵパケットにおける第１の装置のための空間ストリームを示す。ある特定の態様では、処理システムは、ＭＵパケットが第２の装置によって送信され、グループＩＤが第２の装置に関連付けられるように、ＭＡＣアドレスが第２の装置に関連付けられることを決定することによってグループＩＤを解釈するように構成される。
【００１２】
[0013]本開示のある特定の態様は、ワイヤレス通信のための方法を提供している。方法は、概して、第１の装置でＭＵパケットを第２の装置から受信すること、ここにおいてＭＵパケットは、その第１の装置が属するグループを示すグループＩＤの指示を備え、第２の装置のＭＡＣアドレスの指示を受信すること、およびＭＡＣアドレスに基づいてグループＩＤを解釈することを含む。
【００１３】
[0014]本開示のある特定の態様は、ワイヤレス通信のための第１の装置を提供している。第１の装置は、概して、第２の装置からＭＵパケットを受信するための手段、ここにおいてＭＵパケットは第１の装置が属するグループを示すグループＩＤの指示を備え、ならびにここにおいて受信するための手段はまた、第２の装置のＭＡＣアドレスの指示を受信するように構成され、ＭＡＣアドレスに基づいてグループＩＤを解釈するための手段、を含む。
【００１４】
[0015]本開示のある特定の態様は、ワイヤレス通信のためのコンピュータプログラム製品を提供している。コンピュータプログラム製品は、概して、第１の装置でＭＵパケットを第２の装置から受信し、ここにおいてＭＵパケットは、第１の装置が属するグループを示すグループＩＤの指示を備え、第２の装置のＭＡＣアドレスの指示を受信し、ＭＡＣアドレスに基づいてグループＩＤを解釈する、ことが実行可能な命令を有するコンピュータ可読媒体を含む。
【００１５】
[0016]本開示のある特定の態様は、ワイヤレスノードを提供している。ワイヤレスノードは、概して、少なくとも１つのアンテナ、少なくとも１つのアンテナを介してＭＵパケットを装置から受信し、ここにおいてＭＵパケットは、ワイヤレスノードが属するグループを示すグループＩＤの指示を備え、少なくとも１つのアンテナを介して装置のＭＡＣアドレスの指示を受信するように構成された受信機、およびＭＡＣアドレスに基づいてグループＩＤを解釈するように構成された処理システムを含む。
【００１６】
[0017]本開示のある特定の態様は、ワイヤレス通信のための第１の装置を提供している。第１の装置は、概して、送信機、および１つまたは複数の第２の装置のグループを決定するように構成された処理システムを含む。送信機は、通常、ＭＵパケットを１つまたは複数の第２の装置に送信し、第２の装置をグループに一時的に割り当てるための指示を送信するように構成される。
【００１７】
[0018]本開示のある特定の態様は、ワイヤレス通信のための方法を提供している。方法は、概して、第１の装置で１つまたは複数の第２の装置のグループを決定すること、ＭＵパケットを１つまたは複数の第２の装置に送信すること、および第２の装置をグループに一時的に割り当てるための指示を送信することを含む。
【００１８】
[0019]本開示のある特定の態様は、ワイヤレス通信のための第１の装置を提供している。第１の装置は、概して、１つまたは複数の第２の装置のグループを決定するための手段、ＭＵパケットを１つまたは複数の第２の装置に送信するように構成された送信するための手段を含み、ここにおいて送信するための手段はまた、第２の装置をグループに一時的に割り当てるための指示を送信するように構成される。
【００１９】
[0020]本開示のある特定の態様は、ワイヤレス通信のためのコンピュータプログラム製品を提供している。コンピュータプログラム製品は、概して、第１の装置で１つまたは複数の第２の装置のグループを決定し、ＭＵパケットを１つまたは複数の第２の装置に送信し、第２の装置をグループに一時的に割り当てるための指示を送信することが実行可能な命令を有するコンピュータ可読媒体を含む。
【００２０】
[0021]本開示のある特定の態様は、ワイヤレスノードを提供する。ワイヤレスノードは、概して、少なくとも１つのアンテナ、送信機、１つまたは複数の装置のグループを決定するように構成された処理システムを含む。送信機は、通常、少なくとも１つのアンテナを介してＭＵパケットを１つまたは複数の装置に送信し、少なくとも１つのアンテナを介して装置をグループに一時的に割り当てるための指示を送信するように構成される。
【図面の簡単な説明】
【００２１】
[0022]本開示の上記で記載された特徴が詳細に理解されることができる方法のように、上記で簡潔に要約されたより特定の説明が、態様への参照によって記され、そのいくつかが添付の図面において例示される。しかしながら、添付の図面は、この開示のある特定の典型的な態様のみを例示し、したがって、その説明が他の同等の効果的な態様を認めるので、その範囲の限定を考慮されるべきではないことは留意されたい。
【図１】本開示のある特定の態様にしたがった、ワイヤレス通信ネットワークの図。
【図２】本開示のある特定の態様にしたがった、例示的なアクセスポイント（ＡＰ）およびユーザ端末のブロック図。
【図３】本開示のある特定の態様にしたがった、例示的なワイヤレスデバイスのブロック図。
【図４】本開示のある特定の態様にしたがった、プリアンブルの例示的な構造を示す図。
【図５】本開示のある特定の態様にしたがった、局（ＳＴＡ）間の直接リンク送信ができるマルチユーザ多入力多出力（ＭＵ−ＭＩＭＯ）ネットワークの図。
【図６】本開示のある特定の態様にしたがった、マルチユーザ（ＭＵ）パケットに先行するプライマフレーム（ｐｒｉｍｅｒ  ｆｒａｍｅ）を例示する図。
【図７】本開示のある特定の態様にしたがった、ＭＵパケットにおいてアドレス指定されるＳＴＡの各々のための関連識別子（ＡＩＤ）を使用する例示的なプライマフレームを例示する図。
【図８】本開示のある特定の態様にしたがった、ＭＵパケットにおいてアドレス指定されるＳＴＡの各々のためのＭＵ識別子（ＭＩＤ）を使用する例示的なプライマフレームを例示する図。
【図９】本開示のある特定の態様にしたがった、一時的なグループ識別子（ＩＤ）およびグループ割り当てをアナウンスするための例示的なプライマフレームを例示する図。
【図１０】本開示のある特定の態様にしたがった、ＭＵパケットのためのプライマフレームとして機能するヌルデータパケット割り当て（ＮＤＰＡ）フレームを例示する図。
【図１１】本開示のある特定の態様にしたがった、図１０のＮＤＰＡフレーム中の例示的なＳＴＡ情報フィールドを例示する図。
【図１２】本開示のある特定の態様にしたがった、後続のＭＵパケットが続く、一時的なグループＩＤをアナウンスするためのプライマフレームとして機能する例示的なＮＤＰＡフレームを例示する図。
【図１３】本開示のある特定の態様にしたがった、リザーブされたグループＩＤの一時的な定義を提供するプライマフレームとして機能する例示的な制御または管理アクションフレームを例示する図。
【図１４】本開示のある特定の態様にしたがった、グループＩＤ割り当てのための媒体アクセス制御（ＭＡＣ）アドレスを使用する例示的なプライマフレームを例示する図。
【図１５】本開示のある特定の態様にしたがった、図１４のものよりも効率的な、ＭＡＣアドレスを使用するプライマフレームを例示する図。
【図１６】本開示のある特定の態様にしたがった、プライマフレームとして機能するＮＤＰＡフレームに基づくサウンディングとの例示的なＭＵフレーム交換を例示する図。
【図１７】本開示のある特定の態様にしたがった、プライマフレームとして機能するＮＤＰＡフレームに基づく、ブロック肯定応答（ＢＡ）およびサウンディングとの例示的なＭＵフレーム交換を例示する図。
【図１８】本開示のある特定の態様にしたがった、シーケンシャルなアクセスに基づく、ＢＡおよびサウンディングとの例示的なＭＵフレーム交換を例示する図。
【図１９】本開示のある特定の態様にしたがった、第２の装置に対してグループＩＤの指示を有するＭＵパケットを送信し、第２の装置によるグループＩＤの解釈のための第１の装置のＭＡＣアドレスを送信するための、１つまたは複数の第２の装置への直接リンク送信ができる第１の装置で実行されうる、例示的な動作を例示する図。
【図１９Ａ】図１９で提示される動作を実行することができる例示的な手段を例示する図。
【図２０】本開示のある特定の態様にしたがった、ＭＵパケットで受信され、第１の装置が属するグループを示すグループＩＤを、第２の装置の受信されたＭＡＣアドレスに基づいて解釈するための、第２の装置からの直接リンク送信を受信することができる第１の装置で実行されうる、例示的な動作を例示する図。
【図２０Ａ】図２０で提示される動作を実行することができる例示的な手段を例示する図。
【図２１】本開示のある特定の態様にしたがった、ＭＵパケットを第２の装置に送信するための、および第２の装置をグループに一時的に割り当てるための指示を送信するための、１つまたは複数の第２の装置への直接リンク送信ができる第１の装置で実行されうる、例示的な動作を例示する図。
【図２１Ａ】図２１で提示される動作を実行することができる例示的な手段を例示する図。
【詳細な説明】
【００２２】
[0047]添付の図面を参照して、本開示の様々な態様がここより後でさらに全面的に記述される。しかしながら、本開示は、多くの異なる形態で実現され、本開示全体を通して表される任意の特定の構造または機能に限定されるものとしてみなされるべきではない。むしろ、これらの態様は、本開示が徹底的で完全であり、当業者に本開示の範囲を全面的に伝達することになるように提供される。ここでの教示に基づいて、本発明の他のいずれかの態様から独立してインプリメントされようと、本発明の他のいずれかの態様と組み合わせてインプリメントされようと、本開示の範囲が、ここで開示される開示のいずれの態様もカバーするように意図されていることを、当業者は認識すべきである。例えば、ここで述べられる様々な態様を使用して、装置がインプリメントされ、または方法が実施されうる。加えて、本開示の範囲は、他の構造、機能、あるいはここで述べられる開示の様々な態様以外のまたはそれらの態様に加えた構造および機能を使用して実施されるそのような装置または方法をカバーするように意図されている。ここで開示される開示のいずれの態様も請求項の１つまたは複数の要素によって実現されうることは理解されるべきである。
【００２３】
[0048]「例示的な」という言葉は、「例、事例、または例示としての役割をする」を意味するようにここで使用される。「例示的な」として、ここで記述されるいずれの態様も、他の態様に対して、必ずしも好ましいものとして、または、有利なものとしてみなされるべきではない。ここで使用されるように、「レガシ局」という用語は、概して、電気電子技術者委員会（ＩＥＥＥ）８０２．１１ｎまたはＩＥＥＥ８０２．１１標準へのより早期の補正をサポートするワイヤレスネットワークノードを称する。
【００２４】
[0049]特定の態様がここで説明されるけれども、これらの態様の多くのバリエーションおよび置換が本開示の範囲内に入る。好ましい態様の何らかの利益および利点が言及されるけれども、本開示の範囲は、特定の利益、使用、または、目的に限定されると意図されていない。むしろ、本開示の態様は、異なるワイヤレス技術、システム構成、ネットワーク、および、送信プロトコルに広く適用可能であるように意図されており、そのうちのいくつかは、例として、図面中および好ましい態様の以下の説明中で例示されている。詳細な説明および図面は、限定ではなく、本開示の単なる例示であり、本開示の範囲は、添付の特許請求の範囲およびそれらの均等物により定義されている。
【００２５】
例示的なワイヤレス通信システム
[0050]ここで記述される技法は、直交多重化スキームに基づいている通信システムを含む、様々なブロードバンドワイヤレス通信システムに対して使用されうる。このような通信システムの例は、空間分割多元接続（ＳＤＭＡ）、時分割多元接続（ＴＤＭＡ）、直交周波数分割多元接続（ＯＦＤＭＡ）システム、単一搬送波周波数分割多元接続（ＳＣ−ＦＤＭＡ）などを含む。ＳＤＭＡシステムは、複数のユーザ端末に属するデータを同時に送信するために、十分に異なる方向を利用することができる。ＴＤＭＡシステムは、複数のユーザ端末が、送信信号を異なる時間スロットに分割することによって同じ周波数チャネルを共有することを可能にし、各時間スロットは異なるユーザ端末に割り当てられる。ＯＦＤＭＡシステムは、システム全体の帯域幅を複数の直交サブキャリアに区分する変調技法である直交周波数分割多重化（ＯＦＤＭ）を利用する。これらのサブキャリアは、トーン、ビンなどとも呼ばれうる。ＯＦＤＭでは、各サブキャリアは、データで独立して変調されうる。ＳＣ−ＦＤＭＡシステムは、インターリーブされたＦＤＭＡ（ＩＦＤＭＡ）を利用して、システム帯域幅にわたって分散されているサブキャリア上で送信し、局所化されたＦＤＭＡ（ＬＦＤＭＡ）を利用して、隣り合ったサブキャリアのブロック上で送信し、または、拡張されたＦＤＭＡ（ＥＦＤＭＡ）を利用して、隣り合ったサブキャリアの複数のブロック上で送信することができる。概して、変調シンボルは、ＯＦＤＭでは周波数ドメイン中で、および、ＳＣ−ＦＤＭＡでは時間ドメイン中で送られる。
【００２６】
[0051］ここでの教示は、様々なワイヤード（ｗｉｒｅｄ）またはワイヤレスの装置（例えば、ノード）に組み込まれうる（例えば、これらの装置内でインプリメント、または、これらの装置により実行されうる）。いくつかの態様では、ここでの教示にしたがってインプリメントされるワイヤレスノードは、アクセスポイントまたはアクセス端末を備えることができる。
【００２７】
[0052]アクセスポイント（ＡＰ）は、ノードＢ、無線ネットワークコントローラ（ＲＮＣ）、発展型ノードＢ（ｅＮＢ）、基地局コントローラ（ＢＳＣ）、基地トランシーバ局（ＢＴＳ）、基地局（ＢＳ）、トランシーバ機能（ＴＦ）、無線ルータ、無線トランシーバ、ベーシックサービスセット（ＢＳＳ）、拡張サービスセット（ＥＳＳ）、無線基地局（ＲＢＳ）、または何らかの他の専門用語を備えることができ、これらとしてインプリメントされることができ、または、これらとして周知でありうる。
【００２８】
[0053]アクセス端末（ＡＴ）は、加入者局、加入者ユニット、移動局（ＭＳ）、遠隔局、遠隔端末、ユーザ端末（ＵＴ）、ユーザエージェント、ユーザデバイス、ユーザ機器（ＵＥ）、ユーザ局、または、何らかの他の専門用語を備えることができ、これらとしてインプリメントされることができ、または、これらとして周知でありうる。いくつかのインプリメンテーションでは、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、局（ＳＴＡ）、またはワイヤレスモデムに接続された何らかの他の適切な処理デバイスを備えることができる。したがって、ここで教示される１つまたは複数の態様は、電話（例えば、セルラー電話またはスマートフォン）、コンピュータ（例えば、ラップトップ）、タブレット、携帯型通信デバイス、携帯型コンピューティングデバイス（例えば、パーソナルデータアシスタント）、エンターテインメントデバイス（例えば、音楽またはビデオのデバイス、あるいは、衛星ラジオ）、グローバルポジショニングシステム（ＧＰＳ）デバイス、あるいは、ワイヤレスまたはワイヤードの媒体を介して通信するように構成されている何らかの他の適切なデバイス中に、組み込まれうる。いくつかの態様では、ノードはワイヤレスノードである。そのようなワイヤレスノードは、例えば、ワイヤードまたはワイヤレス通信リンクを介して、ネットワーク（例えば、インターネットまたはセルラーネットワークのような広域ネットワーク）のための接続、またはネットワークへの接続を提供することができる。
【００２９】
[0054]図１は、アクセスポイントおよびユーザ端末を有する多元接続多入力多出力（ＭＩＭＯ）システム１００を例示している。簡潔さのために、図１では、１つのアクセスポイント１１０のみが提示されている。アクセスポイントは、概して、ユーザ端末と通信する固定局であり、基地局または何らかの他の専門用語と称されうる。ユーザ端末は、固定または可動であることができ、移動局、局（ＳＴＡ）、クライアント、ワイヤレスデバイス、または何らかの他の専門用語としても称されうる。アクセスポイント１１０は、ダウンリンクおよびアップリンクで、あらゆる所与の瞬間に１つまたは複数のユーザ端末１２０と通信することができる。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末は、別のユーザ端末とピアツーピアで通信することもできる。システムコントローラ１３０は、アクセスポイントに結合し、アクセスポイントに対して調整および制御を提供する。
【００３０】
[0055]以下の開示の一部が空間分割多元接続（ＳＤＭＡ）を介して通信することができるユーザ端末１２０を記述しているのに対して、ある特定の態様では、ユーザ端末１２０は、ＳＤＭＡをサポートしていないいくつかのユーザ端末も含むことができる。したがって、そのような実施形態では、ＡＰ１１０はＳＤＭＡおよび非ＳＤＭＡユーザ端末の両方と通信するように構成されうる。都合のよいことに、この手法は、古いバージョンのユーザ端末（「レガシ」局）が企業で採用され続けることを可能にし、それらの効率的寿命を拡張する一方で、適していると思われるときには、より新しいＳＤＭＡユーザ端末が導入されることを可能にする。
【００３１】
[0056]システム１００は、データ送信のために、ダウンリンク上およびアップリンク上で、複数の送信および複数の受信アンテナを用いる。アクセスポイント１１０は、Ｎａｐ本のアンテナで装備され、ダウンリンク送信に対する複数入力（ＭＩ）、およびアップリンク送信に対する複数出力（ＭＯ）を表している。１組のＫ個の選択されたユーザ端末１２０は、集合的に、ダウンリンク送信に対する複数出力、およびアップリンク送信に対する複数入力を表している。純粋なＳＤＭＡでは、何らかの手段により、Ｋ個のユーザ端末に対するデータシンボルストリームが、コード、周波数、または、時間において多重化されていない場合に、Ｎａｐ≧Ｋ≧１を有することが望ましい。ＴＤＭＡ技術を使用して、ＣＤＭＡでは異なるコードチャネルを使用して、ＯＦＤＭでは互いに素な（disjoint）組のサブバンドを使用するなどして、データシンボルストリームが多重化される場合に、Ｋは、Ｎａｐよりも大きいことがある。各選択されたユーザ端末は、アクセスポイントに対して、ユーザ固有のデータを送信し、および／または、アクセスポイントから、ユーザ固有のデータを受信する。概して、各選択されたユーザ端末は、１つまたは複数のアンテナ（すなわち、Ｎｕｔ≧１）で装備されうる。Ｋ個の選択されたユーザ端末は、同じ数のアンテナまたは異なる数のアンテナを有することができる。
【００３２】
[0057]システム１００は、時分割複信（ＴＤＤ）システムまたは周波数分割複信（ＦＤＤ）システムでありうる。ＴＤＤシステムでは、ダウンリンクとアップリンクは、同じ周波数帯域を共有する。ＦＤＤシステムでは、ダウンリンクとアップリンクは、異なる周波数帯域を使用する。ＭＩＭＯシステム１００はまた、送信のために、単一の搬送波または複数の搬送波も利用することができる。各ユーザ端末は、（例えば、コストを低く抑えるために）単一のアンテナで装備され、または、（例えば、付加的なコストがサポートされることができる場合には）複数のアンテナで装備されうる。ユーザ端末１２０が、各時間スロットが異なるユーザ端末１２０に割り当てられている異なる時間スロットに、送信／受信を分割することにより、同じ周波数チャネルを共有する場合、システム１００は、ＴＤＭＡシステムであることもできる。
【００３３】
[0058]図２は、ＭＩＭＯシステム１００中の、アクセスポイント１１０および２つのユーザ端末１２０ｍと１２０ｘのブロック図を例示している。アクセスポイント１１０は、Ｎｔ本のアンテナ２２４ａから２２４ａｐで装備されている。ユーザ端末１２０ｍは、Ｎｕｔ，ｍ本のアンテナ２５２ｍａから２５２ｍｕで装備されており、ユーザ端末１２０ｘには、Ｎｕｔ，ｘ本のアンテナ２５２ｘａから２５２ｘｕで装備されている。アクセスポイント１１０は、ダウンリンクリンクに対しては送信エンティティであり、アップリンクに対しては受信エンティティである。各ユーザ端末１２０は、アップリンクに対しては送信エンティティであり、ダウンリンクに対しては受信エンティティである。ここで使用するように、「送信エンティティ」は、ワイヤレスチャネルを介してデータを送信することができる、独立して動作する装置またはデバイスであり、「受信エンティティ」は、ワイヤレスチャネルを介してデータを受信することができる、独立して動作する装置またはデバイスである。以下の記述では、下付き文字「ｄｎ」は、ダウンリンクを意味し、下付き文字「ｕｐ」は、アップリンクを意味し、Ｎｕｐ個のユーザ端末が、アップリンク上での同時送信のために選択され、Ｎｄｎ個のユーザ端末が、ダウンリンク上での同時送信のために選択され、Ｎｕｐは、Ｎｄｎに等しい場合もあり、または、等しくない場合もあり、ＮｕｐおよびＮｄｎは、静的な値である場合もあり、あるいは、各スケジューリング間隔の間に変化することもできる。ビームステアリングまたは何らかの他の空間処理技法が、アクセスポイントならびにユーザ端末において、使用されうる。
【００３４】
[0059]アップリンク上では、アップリンク送信のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、そのユーザ端末のために選択されたレートに関連付けられた符号化および変調スキームに基づいて、そのユーザ端末のためのトラヒックデータ｛ｄｕｐ，ｍ｝を処理（例えば、符号化、インターリーブ、および変調）し、データシンボルストリーム｛Ｓｕｐ，ｍ｝を提供する。ＴＸ空間プロセッサ２９０は、データシンボルストリーム｛Ｓｕｐ，ｍ｝上で空間処理を実行し、Ｎｕｔ，ｍ本のアンテナに対してＮｕｔ，ｍ個の送信シンボルストリームを提供する。各送信機ユニット（ＴＭＴＲ）２５４は、アップリンク信号を生成するために、それぞれの送信シンボルストリームを受信し、処理（例えば、アナログにコンバート、増幅、フィルタ、および周波数のアップコンバート）する。Ｎｕｔ，ｍ個の送信機ユニット２５４は、Ｎｕｔ，ｍ本のアンテナ２５２からアクセスポイント１１０への送信に対して、Ｎｕｔ，ｍ個のアップリンク信号を提供する。
【００３５】
[0060]Ｎｕｐ個のユーザ端末がアップリンク上での同時送信に対してスケジュールされうる。これらのユーザ端末の各々は、そのデータシンボルストリーム上で空間処理を実行し、その組の送信シンボルストリームをアップリンク上でアクセスポイントに送信する。
【００３６】
[0061]アクセスポイント１１０において、Ｎａｐ本のアンテナ２２４ａから２２４ａｐは、アップリンク上で送信するすべてのＮｕｐ個のユーザ端末からアップリンク信号を受信する。各アンテナ２２４は、それぞれの受信機ユニット（ＲＣＶＲ）２２２に対して、受信された信号を提供する。各受信機ユニット２２２は、送信機ユニット２５４により実行される処理と相補的な処理を実行し、受信されたシンボルストリームを提供する。ＲＸ空間プロセッサ２４０は、Ｎａｐ台の受信機ユニット２２２からのＮａｐ個の受信されたシンボルストリーム上で、受信機空間処理を実行し、Ｎｕｐ個の復元されたアップリンクデータシンボルストリームを提供する。チャネル相関マトリクス逆変換（ＣＣＭＩ）、最小平均二乗誤差（ＭＭＳＥ）、ソフト干渉消去（ＳＩＣ）、または、何らかの他の技法にしたがって、受信機空間処理が実行される。各復元されたアップリンクデータシンボルストリームは、それぞれのユーザ端末によって送信されたデータシンボルストリーム｛Ｓｕｐ，ｍ｝の推定である。ＲＸデータプロセッサ２４２は、そのストリームに対して使用されているレートにしたがって、各復元されたアップリンクデータシンボルストリーム｛Ｓｕｐ，ｍ｝を処理（例えば、復調、デインターリーブ、および、復号）して、復号されたデータを取得する。各ユーザ端末に対する復号されたデータは、記憶のためにデータシンク２４４に提供され、および／または、さらなる処理のためにコントローラ２３０に提供されうる。
【００３７】
[0062]ダウンリンク上では、アクセスポイント１１０において、ＴＸデータプロセッサ２１０が、ダウンリンク送信に関してスケジュールされているＮｄｎ個のユーザ端末に対するトラフィックデータをデータソース２０８から受信し、コントローラ２３０から制御データを受信し、場合によっては、スケジューラ２３４から他のデータを受信する。様々なタイプのデータが、異なるトランスポートチャネル上で送られうる。ＴＸデータプロセッサ２１０は、そのユーザ端末のために選択されているレートに基づいて、各ユーザ端末に対するトラフィックデータを処理する（例えば、エンコードする、インターリーブする、および、変調する）。ＴＸデータプロセッサ２１０は、Ｎｄｎ個のユーザ端末に対するＮｄｎ個のダウンリンクデータシンボルストリームを提供する。ＴＸ空間プロセッサ２２０は、Ｎｄｎ個のダウンリンクデータシンボルストリーム上で（プリコーディングまたはビームフォーミングのような）空間処理を実行し、Ｎａｐ本のアンテナに対してＮａｐ個の送信シンボルストリームを提供する。各送信機ユニット（ＴＭＴＲ）２２２は、ダウンリンク信号を生成するために、それぞれの送信シンボルストリームを受信し、処理する。Ｎａｐ台の送信機ユニット２２２は、Ｎａｐ本のアンテナ２２４からユーザ端末への送信に対して、Ｎａｐ個のダウンリンク信号を提供する。
【００３８】
[0063]各ユーザ端末１２０において、Ｎｕｔ，ｍ本のアンテナ２５２は、アクセスポイント１１０からＮａｐ個のダウンリンク信号を受信する。各受信機ユニット（ＲＣＶＲ）２５４は、関連付けられたアンテナ２５２からの受信信号を処理し、受信されたシンボルストリームを提供する。ＲＸ空間プロセッサ２６０は、Ｎｕｔ，ｍ台の受信機ユニット２５４からのＮｕｔ，ｍ個の受信されたシンボルストリーム上で受信機空間処理を実行し、ユーザ端末に対する復元されたダウンリンクデータシンボルストリームを提供する。受信機空間処理は、ＣＣＭＩ、ＭＭＳＥ、または何らかの他の技法にしたがって実行される。ＲＸデータプロセッサ２７０は、ユーザ端末に対する復号されたデータを得るために、復元されたダウンリンクデータシンボルストリームを処理（例えば、復調、デインターリーブ、および、復号）する。
【００３９】
[0064]各ユーザ端末１２０において、チャネル推定器２７８は、ダウンリンクチャネル応答を推定し、チャネル利得推定、ＳＮＲ推定、ノイズ分散などを含むことができるダウンリンクチャネル推定を提供する。同様に、チャネル推定器２２８は、アップリンクチャネル応答を推定し、アップリンクチャネル推定を提供する。各ユーザ端末に対するコントローラ２８０は、通常、そのユーザ端末に対するダウンリンクチャネル応答マトリクスＨｄｎ，ｍに基づいて、ユーザ端末に対する空間フィルタマトリクスを導出する。コントローラ２３０は、効果的なアップリンクチャネル応答マトリクスＨｕｐ，ｅｆｆに基づいて、アクセスポイントに対する空間フィルタマトリクスを導出する。各ユーザ端末に対するコントローラ２８０は、アクセスポイントにフィードバック情報（例えば、ダウンリンクおよび／またはアップリンクの固有ベクトル、固有値、ＳＮＲ推定など）を送ることができる。コントローラ２３０および２８０はまた、アクセスポイント１１０およびユーザ端末１２０における様々な処理ユニットの動作をそれぞれ制御する。
【００４０】
[0065]図３は、ＭＩＭＯシステム１００のようなワイヤレス通信システム内で用いられうるワイヤレスデバイス３０２において利用されうる様々なコンポーネントを例示している。ワイヤレスデバイス３０２は、ここで記述される様々な方法をインプリメントするように構成されうるデバイスの例である。ワイヤレスデバイス３０２は、アクセスポイント１１０またはユーザ端末１２０でありうる。
【００４１】
[0066]ワイヤレスデバイス３０２は、ワイヤレスデバイス３０２の動作を制御するプロセッサ３０４を含むことができる。プロセッサ３０４は、中央処理ユニット（ＣＰＵ）とも称されうる。読取専用メモリ（ＲＯＭ）およびランダムアクセスメモリ（ＲＡＭ）の両方を含みうるメモリ３０６は、命令およびデータをプロセッサ３０４に提供する。メモリ３０６の一部は、不揮発性ランダムアクセスメモリ（ＮＶＲＡＭ）も含むことができる。プロセッサ３０４は、通常、メモリ３０６内に記憶されたプログラム命令に基づいて、論理および演算動作を実行する。メモリ３０６における命令は、ここで記述される方法をインプリメントするために実行可能でありうる。
【００４２】
[0067]ワイヤレスデバイス３０２はまた、ワイヤレスデバイス３０２と遠隔ロケーションとの間でのデータの送受信を可能にする送信機３１０および受信機３１２を含むことができるハウジング３０８を含むこともできる。送信機３１０および受信機３１２は、トランシーバ３１４に合わされうる。単一のまたは複数の送信アンテナ３１６が、ハウジング３０８に取り付けられ、トランシーバ３１４に電気的に結合されうる。ワイヤレスデバイス３０２はまた、複数の送信機、複数の受信機、および複数のトランシーバを含むことができる（図示せず）。
【００４３】
[0068]ワイヤレスデバイス３０２はまた、トランシーバ３１４によって受信された信号のレベルを検出して定量化するために使用されうる信号検出器３１８も含むことができる。信号検出器３１８は、総エネルギー、シンボルあたりのサブキャリアごとのエネルギー、電力スペクトル密度、および他の信号のような信号を検出することができる。ワイヤレスデバイス３０２はまた、信号を処理する際の使用ための、デジタル信号プロセッサ（ＤＳＰ）３２０も含むことができる。
【００４４】
[0069]ワイヤレスデバイス３０２の様々なコンポーネントは、データバスに加えて、電力バス、制御信号バス、ステータス信号バスを含むことができる、バスシステム３２２により、共に結合されうる。
【００４５】
グループ定義を有するプリアンブル構造
[0070]図１によるシステム１００のような、次世代ＷＬＡＮでは、ダウンリンク（ＤＬ）マルチユーザ（ＭＵ）ＭＩＭＯ送信は、ネットワークスループット全体を増加させるための将来有望な技法を表すことができる。ＤＬ  ＭＵ−ＭＩＭＯ送信の大抵の態様では、アクセスポイントから複数のユーザ局（ＳＴＡ）に送信されるプリアンブルのビームフォーミングされていない部分は、ＳＴＡに対する空間ストリーム割り振りを示す、空間ストリームの割り振りフィールドを搬送することができる。
【００４６】
[0071]この割り振り情報をＳＴＡにおいて構文解析するために、各ＳＴＡは、ＭＵ送信を受信するようにスケジュールされた複数のＳＴＡからの１組のＳＴＡにおける、その順序付けまたはＳＴＡ番号を通知されうる。このことは、グループを形成することを必要とし、ここにおいて、プリアンブル中のグループ識別子（グループＩＤ）フィールドは、所定のＭＵ送信で送信されている１組のＳＴＡ（およびそれらの順序）を、ＳＴＡに伝達することができる。送信オーバヘッドにプリアンブルビットが加わることで、ＳＴＡが所与の時点におけるＭＵ−ＭＩＭＯ送信で一緒にスケジュールされることができるフレクシビリティに関して犠牲にならないと同時に、グループＩＤに対して可能な限り少ないビットを消費することが望ましい。図４は、本開示のある特定の実施例にしたがったプリアンブル４００の例示的な構造を例示している。プリアンブル４００は、例えば、図１において例示されているシステム１００中で、アクセスポイント（ＡＰ）１１０からユーザ端末１２０に送信されうる。ある特定の態様では、プリアンブル４００はまた、直接リンク送信を使用して１つのＳＴＡから１つまたは複数の他のＳＴＡにも送信されうる。
【００４７】
[0072]プリアンブル４００は、全レガシ部分４０２（すなわち、ビームフォーミングされていない部分）、およびプリコードされた８０２．１１ａｃ  ＶＨＴ（超高スループット）部分４０４を備えることができる。レガシ部分４０２は、レガシ短トレーニングフィールド（Ｌ−ＳＴＦ）４０６、レガシ長トレーニングフィールド４０８、レガシ信号（Ｌ−ＳＩＧ）フィールド４１０、およびＶＨＴ信号Ａ（ＶＨＴ−ＳＩＧ−Ａ）フィールド４１２、４１４に対する２つのＯＦＤＭシンボルを備えることができる。ＶＨＴ−ＳＩＧ−Ａフィールド４１２、４１４は、全方向に送信され、１つの組み合わせ（組）のＳＴＡに対する、空間ストリームの数の割り振りを示すことができる。
【００４８】
[0073]プリコードされた８０２．１１ａｃ  ＶＨＴ部分４０４は、超高スループット短トレーニングフィールド（ＶＨＴ−ＳＴＦ）４１８、超高スループット長トレーニングフィールド１（ＶＨＴ−ＬＴＦ１）４２０、超高スループット長トレーニングフィールド（ＶＨＴ−ＬＴＦ）４２２、超高スループット信号Ｂ（ＶＨＴ−ＳＩＧ−Ｂ）フィールド４２４、およびデータ部分４２６を備えることができる。ＶＨＴ−ＳＩＧ−Ｂフィールドは、１つのＯＦＤＭシンボルを備え、送信、プリコード／ビームフォーミングされうる。（may be transmitted precoded/beamformed）
[0074]ロバストＭＵ−ＭＩＭＯ受信は、ＡＰが、すべてのサポートされたＳＴＡに、すべてのＶＨＴ−ＬＴＦ４２２を送信することを伴うことができる。ＶＨＴ−ＬＴＦ４２２は、各ＳＴＡが、すべてのＡＰアンテナからＳＴＡのアンテナへのＭＩＭＯチャネルを推定することを可能にする。ＳＴＡは、他のＳＴＡに対応するＭＵ−ＭＩＭＯストリームからの効率的な干渉ヌリングを実行するために、推定されたチャネルを利用することができる。ロバスト干渉消去を実行するために、各ＳＴＡは、どの空間ストリームがそのＳＴＡに属するかを、および、どの空間ストリームが他のユーザに属するかを知ることを予期されうる。
[0075]上記で論じられたように、グループＩＤフィールド４１６は、特定の組のＳＴＡがＭＵ−ＭＩＭＯ送信の空間ストリームを受信することになることを、すべてのサポートされたＳＴＡに伝達するために、プリアンブル４００中に含まれうる。ベースラインとして、特有の組のＳＴＡにマッピングされうるグループが形成される場合、プリアンブル４００中の非常に大きい数のグループＩＤビットは、完全なスケジューリングのフレクシビリティのために伴われうる。一方、複数の組（組み合わせ）のＳＴＡが１つのグループＩＤにマッピングされうる場合にグループＩＤの過負荷が可能にされると、より高いフレクシビリティが、一緒にスケジュールされることができるＳＴＡの数において達成されうる。
【００４９】
例示的なＳＴＡ中心のＭＵ−ＭＩＭＯ
[0076]上記で記述されたように、グループは、空間ストリームの位置をＳＴＡに伝達するために、ＷＬＡＮ用のＤＬ  ＭＵ−ＭＩＭＯ送信において形成されうる。ＩＥＥＥ８０２．１１ａｃにおいて定義されるような、ＭＵ−ＭＩＭＯは、データパケットを複数の受信器に並行にビームフォーミングするように使用されうる。ＩＥＥＥ８０２．１１ａｃの補正に先立って、データ送信は、シーケンシャルにのみで並行ではなく、個々の受信機にビームフォーミングされうる。
【００５０】
[0077]ＭＵ−ＭＩＭＯパケット（つまり、複数の宛先へのパケット）の物理層（ＰＨＹ）ヘッダは、どのＳＴＡにＭＵ−ＭＩＭＯパケットが向かうか、およびどの（１つまたは複数の）空間ストリームを各受信するＳＴＡが傾聴すべきかを指定する、グループ識別子（グループＩＤ）の指示を包含することができる。現在、グループＩＤとアドレス指定された組のＳＴＡとの間のマッピングは、ＡＰによって制御され、管理フレームを介してＳＴＡに分散される。このことは、ＳＴＡがグループＩＤ割り当てへのアクセスを有さないために、ＳＴＡが他のＳＴＡへの直接リンク送信上でＭＵ−ＭＩＭＯを確実に使用することができないことを暗示している。
【００５１】
[0078]図５は、ＡＰ１１０とＳＴＡ５０２との間のダウンリンクまたはアップリンク送信よりもむしろ、ＳＴＡ５０２間の直接リンク送信ができるＭＵ−ＭＩＭＯネットワーク５００の図を例示している。図５では、ＳＴＡ１は、ＳＴＡ２、ＳＴＡ３、およびＳＴＡ４用の直接リンクＭＵパケット５０４を送信することができる。同じベーシックサービスセット（ＢＳＳ）と関連付けられているＳＴＡ間の直接リンク接続は、例えば、トンネリングされた直接リンクセットアップ（ＴＤＬＳ）プロトコルを使用してセットアップされうる。ＴＤＬＳは、ＩＥＥＥ８０２．１１標準へのＩＥＥＥ８０２．１１ｚの補正において定義されている。
【００５２】
[0079]したがって、必要とされるものは、直接リンクＭＵ−ＭＩＭＯ送信が使用されるときにグループＩＤのコンテキストを解釈するための技法および装置である。
【００５３】
[0080]この課題を解決するために、マルチユーザ（ＭＵ）パケットにおけるグループＩＤは、ＭＵパケットを送るＳＴＡの媒体アクセス制御（ＭＡＣ）アドレスと合わせられうる。ＭＡＣアドレスは、ＳＴＡの特有の識別子であり、したがってそれは、グループＩＤが解釈されるべきコンテキストを一義的に提供する。グループＩＤをＭＡＣアドレスと合わせることは、ＳＴＡがＢＢＳにおけるＡＰおよび他のＳＴＡから独立して、それらのグループＩＤを独立して管理することを可能にする。グループＩＤ割り当てメッセージは、ＳＴＡが自立的に（つまり、この機能を実行するためにＡＰに依拠することなく）関連するピアＳＴＡに更新を送ることができるように、ＴＤＬＳフレーム中にカプセル化されうる。
【００５４】
[0081]グループＩＤのＭＡＣアドレスコンテキストを提供するためには、いくつかのオプションがある。１つのオプションは、ＳＴＡからのＭＵ送信が、ＭＵ送信の送り手（つまり、ＳＴＡ）のＭＡＣアドレスを定義する短プライマフレームによって先行されうることである。図６は、本開示のある特定の態様にしたがった、ＭＵパケット６０２に先行するプライマフレーム６００を例示している。プライマフレーム６００は、プライマフレームの後の短期間（例えば、短インタフレーム空間（ＳＩＦＳ）６０４）に続くパケット６０２の間、または、プライマフレームの後の短期間に続く全送信機会（ＴＸＯＰ）の間、コンテキストを設定することができる。コンテキストは、ポイント調整機能（ＰＣＦ）インタフレーム空間（ＰＩＦＳ）のような、比較的長い期間よりも長いギャップが生じるときに再設定されうる。
【００５５】
[0082]プライマフレームは、グループＩＤが解釈されることになるコンテキストを定義することができる。ある特定の態様では、プライマフレームは新たに定義された制御フレームであり、一方、他の態様では、プライマフレームは新たに定義された制御拡張制御フレームでありうる。他の態様では、プライマフレームは自己への送信可（ＣＴＳ）フレーム（ＣＴＳ−ｔｏ−ｓｅｌｆ  ｆｒａｍｅ）であり、その場合、ＣＴＳフレームがプライマフレームとして機能するという事実は、ＣＴＳメッセージがＭＵ送信によって後続されるときに明確になる。代わりとして、現存するフィールドへの小さな変更は、ＣＴＳフレームがグループＩＤコンテキストを設定するプライマフレームであることを示すことができる。
【００５６】
[0083]プライマフレームによって設定されるコンテキストは、ＳＴＡのＭＡＣアドレスでありうる。ＭＡＣアドレスは、ＳＴＡの特有の識別子であり、それによってグループＩＤをどのように解釈すべきか一義的に識別する。ＭＵパケットは、先立つプライマフレームなしで受信される（つまり、ＭＵパケットが対応するプライマフレームによってすぐに先行されない）とき、受信するＳＴＡは、ＭＵパケットがＡＰによって送られた（つまり、グループＩＤを解釈するためのデフォルトコンテキストがＡＰである）と推定することができる。
【００５７】
[0084]プライマフレームはまた、どの空間ストリーム上で、ならびにどのＳＴＡがＭＵパケットにおいてアドレス指定されるかを識別することもできる。ＳＴＡは、関連識別子（ＡＩＤ）によって識別され、その場合、ＭＡＣアドレスは、ＡＩＤが解釈されることになるＢＳＳコンテキストを設定するためにプライマフレームに存在する可能性が最も高い。ＭＡＣアドレスは、ＳＴＡが関連付けられているＡＰのＭＡＣアドレスであるベーシックサービスセット識別子（ＢＳＳＩＤ）であり、あるいはＭＡＣアドレスはＳＴＡアドレスであり、その場合受信するＳＴＡは、直接リンクがそのＭＡＣアドレスと共に存在するかどうかを検査する可能性が最も高い。
【００５８】
[0085]図７は、アドレス指定されたＳＴＡのＡＩＤを包含する例示的なプライマフレーム７００を例示している。フレーム制御（ＦＣ）フィールド７０２は、これが「プライマフレーム」タイプの制御（拡張）フレームであることを示すことができる。持続期間フィールド７０４は、フレーム交換の可能性がある持続期間を示すことができる。ａ１フィールド７０６は、受信機アドレス（ＲＡ）としてブロードキャストアドレスを包含することができる。ａ２フィールド７０８は、送信機アドレス（ＴＡ）として、プライマフレーム７００を送るＳＴＡのＭＡＣアドレスを包含することができる。ａ３フィールド７１０は、ＢＳＳＩＤを包含することができる。ａ３フィールド７１０は、ａ２フィールド７０８が保留のＭＵ送信のためにコンテキストを一義的に設定するので、このフレームから排除されうる。ＭＵｉｎｆｏフィールド７１２は、ＡＩＤフィールド７１４と多くの空間ストリーム（Ｎｓｔｓ）フィールド７１６のいくつかの繰り返し（several repetitions of a AID field 714 and a number of spatial streams (Nsts) field 716）を備え、ＭＵ送信の各ＳＴＡに対して１つある（この例は４つのＳＴＡを提示している）。４つよりも少ないＳＴＡが保留のＭＵ送信においてアドレス指定されるとき、使用されていないＡＩＤサブフィールドが存在しないＡＩＤに設定されうる。Ｎｓｔｓフィールド７１６は、Ｎｓｔｓフィールドをすでに包含している、プリアンブルから再使用されうる。ＭＵｉｎｆｏフィールド７１２は、フレーム検査シーケンス（ＦＣＳ）フィールド７１８によって後続されうる。
【００５９】
[0086]ＡＩＤは、ＳＴＡがＡＰと関連する際に受信する識別子である。しかしながらＭＵ−ＭＩＭＯのために使用される識別子は、直接リンクの形成、または関連付けの際に、それぞれ、ＡＰまたはＳＴＡによって割り当てられる特定のマルチユーザ識別子（ＭＩＤ）でありうる。ＭＩＤは、ＡＩＤよりもさらに短い場合がある。
【００６０】
[0087]２つのアドレスおよびＭＩＤに基づくプライマフレーム８００のより短いバージョンが、図８において提示されている。ＦＣフィールド８０２は、これが「プライマフレーム」タイプの制御（拡張）フレームであることを示すことができる。持続期間フィールド８０４は、フレーム交換の可能性がある持続期間を示すことができる。ａ１フィールド８０６は、受信機アドレス（ＲＡ）としてブロードキャストアドレスを包含することができる。ａ２フィールド８０８は、送信機アドレス（ＴＡ）として、プライマフレーム８００を送るＳＴＡのＭＡＣアドレスを包含することができる。ＭＵｉｎｆｏフィールド８１０は、ＭＩＤフィールド８１２とＮｓｔｓフィールド８１４のいくつかの繰り返しを備え、ＭＵ送信の各ＳＴＡに対して１つある（この例は４つのＳＴＡを提示している）。４つよりも少ないＳＴＡが保留のＭＵ送信においてアドレス指定されるとき、使用されていないＭＩＤサブフィールドが存在しないＭＩＤに設定されうる。Ｎｓｔｓフィールド８１４は、Ｎｓｔｓフィールドをすでに包含している、プリアンブルから再使用されうる。ＭＵｉｎｆｏフィールド８１０は、ＦＣＳフィールド８１６によって後続されうる。
【００６１】
[0088]この例におけるＭＩＤサブフィールドは、４ビットの幅であり、これは１６個のＳＴＡがあらゆる所与の時間においてＭＵ送信を介してアドレス指定されうることを意味する。他のＳＴＡはＭＵ送信に含まれることになり、全ての１６のＭＩＤが割り当てられたとき、ＳＴＡはいくつかのＳＴＡからＭＩＤを呼び戻し、他にこれらを割り当てる可能性が最も高い。これは動的プロセスであり、ＳＴＡがそれ自身の割り当てを担っている（つまり、ＭＩＤが所与のＳＴＡのコンテキスト内でのみ成り立つ）ので管理することが容易である。
【００６２】
[0089]ＳＴＡは、ＭＩＤ割り当てを管理するために、ＴＤＬＳフレーム中にカプセル化された動きフレームを使用することができる。ＡＩＤが使用されるとき、プライマフレームは各ＳＴＡで容易に利用可能である識別子を使用する（つまり、この方法は、他のＳＴＡに対してＭＵを利用するＳＴＡの観点から処理状態を把握していない）ので、ピアＳＴＡ間のシグナリングは実行される必要はない。
【００６３】
[0090]プライマフレームに対するオプションとしての他の態様では、ＳＴＡのＭＡＣアドレスは、ＭＵ送信のＰＨＹプリアンブルに追加されうる。ＭＡＣアドレスは、ある特定の態様に関して、現存するＶＨＴ−ＳＩＧ−Ａフィールドの後、およびトレーニングフィールドの前に位置付けられうる。グループＩＤコンテキストフィールドの存在（つまり、ＭＡＣアドレス）はＬ−ＳＩＧフィールドの一部（例えば、現存するビット）を通じてシグナリングされうる。グループＩＤコンテキストを有さない現在定義されたＭＵプリアンブルは、未だこの場合に使用されうる。グループＩＤコンテキストの存在はまた、グループＩＤをＭＵ値（つまり、すべてのゼロおよびすべての１を除いたあらゆる値）に設定することによってシグナリングされうる。グループＩＤコンテキストを有さない現在定義されたＭＵプリアンブルは、もはやこの場合には使用されず、このことは、このオプションが、現在定義されたＭＵプリアンブルと下位互換的ではないことを意味する。
【００６４】
[0091]ある特定の態様では、プライマフレームは、一時的なグループＩＤおよびグループ割り当てをアナウンスするように定義されうる。図９は、一時的なグループＩＤおよびグループ割り当てをアナウンスするための例示的なプライマフレーム９００を例示している。ＭＡＣ層は、プライマフレーム９００とＭＵ送信との間のＳＩＦＳ時間の間に一時的なグループＩＤをＰＨＹにプログラミングすることができる。元のグループＩＤは、プライマフレーム９００の後、または違う方法（ＰＨＹがＳＩＦＳタイミングに気付く必要がないようにＭＡＣがタイムアウトを提供しうる）のＳＩＦ＋ｘμｓの後にＳＩＦＳ内で効果的なＭＵ送信が開始するとき、ＭＵパケットの終わりでＰＨＹによって独立して回復されうる。値ｘはおおよそ数μｓである。
【００６５】
[0092]ＩＥＥＥ８０２．１１ａｃは、ヌルデータパケットアナウンスメント（ＮＤＰＡ）フレームを定義する。ＮＤＰＡフレームは、フレームがプライマフレームであり、ＮＤＰアナウンスメントでないと示すために、サウンディングシーケンス０を再定義することによって、プライマフレームとしての役割をするように再定義されうる。図１０は、再定義されたＮＤＰＡ／プライマフレーム１０００のための例示的なフレームフォーマットを例示している。ある特定の態様では、サウンディングシーケンスフィールドの１ビットは、ＮＤＰＡとプライマフレーム機能とをスイッチし、効率的にサウンディングシーケンスの範囲を半分にカットすることに専用でありうる。
【００６６】
[0093]ＮＤＰＡ／プライマフレーム１０００において、持続時間フィールド１００２は、適した持続時間の値に設定されうる。ＮＤＰＡ／プライマフレーム１０００は、少なくとも１つのＳＴＡ情報（Ｉｎｆｏ）フィールド１００４を含むことができる。ＮＤＰＡ／プライマフレーム１０００は、１つのＳＴＡＩｎｆｏフィールド１００４のみを備え、そしてＲＡフィールド１００６は、ＳＴＡＩｎｆｏフィールド中のＳＴＡ  ＩＤによって識別されたアドレスＳＴＡに設定されうる。ＮＤＰＡ／プライマフレーム１０００は、１つよりも多いＳＴＡＩｎｆｏフィールドを備え、その後ＲＡフィールド１００６がブロードキャストアドレスに設定されうる。ＴＡフィールド１００８は、ＮＤＰＡフレームを送信するＳＴＡのアドレスに設定されうる。サウンディングシーケンスフィールド１０１０は、現在のサウンディングシーケンスに関連付けられたシーケンス番号を示すことができる。０に等しいサウンディングシーケンスは、これがＭＵ送信に先行するプライマフレームである（つまり、従来のＮＤＰＡフレームでない）ことを示すことができる。
【００６７】
[0094]図１１は、ＳＴＡＩｎｆｏフィールド１００４の例示的なフォーマットを例示している。ＳＴＡ  ＩＤサブフィールド１１００は、対象ＳＴＡのＡＩＤまたはＭＩＤを包含することができる。フィードバックタイプサブフィールド１１０２は、要求されたフィードバックのタイプを示すことができる。フィードバックタイプサブフィールド１１０２は、単一ユーザ（ＳＵ）送信に関しては０に設定され、ＭＵ送信に関しては１に設定されうる。サウンディングシーケンス０に関して、このフィールドはリザーブされている。
【００６８】
[0095]Ｎｃインデックスサブフィールド１１０４は、ＭＵフィードバックに関して要求されるフィードバックディメンションを示すことができる。Ｎｃインデックスサブフィールド１１０４は、Ｎｃ＝１を要求するために０に設定され、Ｎｃ＝２を要求するために１に設定され、…Ｎｃ＝８を要求するために７に設定されうる。このサブフィールドは、フィードバックタイプサブフィールド１１０２がＳＵに設定される場合にリザーブされる。サウンディングシーケンス０に関して、このフィールドは空間ストリームの数を示す。
【００６９】
[0096]ある特定の態様では、ＮＤＰＡ／プライマフレーム１０００は、リザーブされたグループＩＤを一時的に定義するために使用されうる。リザーブされたグループＩＤは、グループＩＤがプライマフレームの一部としてシグナリングされる必要がないように、ＳＴＡによって事前に知られうる。リザーブされたグループＩＤは、グループＩＤ割り振りの一部として、ＳＴＡへＡＰによってシグナリングされ、あるいはリザーブされたグループＩＤは、ＩＥＥＥ８０２．１１ａｃ標準において定義されうる（つまり、標準は、ある特定のグループＩＤが、このグループＩＤがＳＴＡによるＭＵ−ＭＩＭＯ送信用のものであるので、ＡＰによって使用されないだろう）。
【００７０】
[0097]ＮＤＰＡ／プライマフレーム１０００は、有効なＭＵ送信が、プライマフレームの後、または違う方法で、ＳＩＦＳ＋ｘμｓの後にＳＩＦＳ中で開始するＭＵパケットの終わりまで、リザーブされたグループＩＤの一時的な定義を提供することができ、ここにおいてｘは数μｓでありうる。ＮＤＰＡ／プライマフレーム１０００は、図１２に例示されるようなリザーブされたグループＩＤを示すＰＨＹヘッダを有するＭＵ送信１２０２によって後続されうる。Ｎｓｔｓフィールドは、リザーブされたグループＩＤの一時的な定義における各ＳＴＡに対する空間ストリーム割り当て（つまり、空間ストリーム割り振り）を示すことができる。
【００７１】
[0098]リザーブされたグループＩＤが上記で記述されるように使用されるとき、グループＩＤに基づいた通常の動作の場合と同様に、空間ストリーム割り振りは、ＭＵパケットのＰＨＹヘッダでＮｓｔｓフィールドを介して供給されうる。このことは、空間ストリーム割り振りが、サウンディングシーケンス０を有するＮＤＰＡフレームのＮｃインデックスフィールドによって割り振られる必要はないことを暗示している。この場合、Ｎｃインデックスサブフィールドは、ＭＵフィードバックに関して要求されるフィードバックディメンションを示すことができる。Ｎｃインデックスサブフィールドは、Ｎｃ＝１を要求するために０に設定され、Ｎｃ＝２を要求するために１に設定され、…Ｎｃ＝８を要求するために７に設定されうる。このサブフィールドは、フィードバックタイプフィールドがＳＵに設定される場合にリザーブされうる。サウンディングシーケンス０に関して、このフィールドはリザーブされている。
【００７２】
[0099]サウンディングシーケンス０を有するＮＤＰＡフレームをプライマフレームであると再定義するよりむしろ、リザーブされたグループＩＤの一時的な定義を提供する専用の制御または管理動作フレームが定義されうる。図１３は、ＡＩＤを有する例示的なグループＩＤ定義フレーム１３００を例示している。
【００７３】
[0100]図１４は、ＭＡＣアドレスフィールド１４０２を有する例示的なグループＩＤ定義フレーム１４００を例示している。ＭＡＣアドレスフィールド１５０２を有するより効率的なグループＩＤ定義フレーム１５００が、図１５において例示されている。フレーム１５００では、規則的なアドレスａ２およびａ３が、グループＩＤ割り当てに対するＭＡＣアドレスとして再定義されている。ａ１アドレス１５０４は、ブロードキャストアドレスまたはグループアドレスを包含することができる。ＡＩＤの代わりに単調なＭＡＣアドレスを使用する利点は、ＭＡＣアドレスが（ＡＩＤとは対照的に）それらを定義するためにＢＳＳＩＤに依存しないことであり、このことはプライマフレームが同じＢＳＳにないＳＴＡを割り当てることを可能にする。ＦＣフィールドは、フレーム１５００をプライマフレーム（つまり、グループＩＤ定義フレーム）として定義することができる。
【００７４】
[0101]図１６は、プライマフレーム（つまり、ＮＤＰＡ／プライマフレーム１０００）として機能するＮＤＰＡフレームに基づくサウンディングとの例示的なＭＵフレーム交換１６００を例示している。上記で記述されているように、ＮＤＰＡ／プライマフレーム１０００は、グループＩＤが後続のＭＵ送信１６０２に関して解釈されることになるコンテキストを定義することができる。ＮＤＰＡ／プライマフレーム１０００を送信する直接リンク送信ができる第１のＳＴＡ（例えば、図５におけるＳＴＡ１）に先立って、ＭＵフレーム交換１６００は、ＮＤＰフレーム１６０６によって後続される、ＮＤＰアナウンスメントとして機能するＮＤＰＡフレーム１６０４を送信する第１のＳＴＡを含むことができる。第２のＳＴＡ（例えば、図５におけるＳＴＡ２）は、チャネル状態情報（ＣＳＩ）フレーム１６０８（例えば、ＣＳＩ２）を有するＮＤＰフレーム１６０６に応答することができる。その後、第１のＳＴＡが（ＳＴＡ２、ＳＴＡ３、およびＳＴＡ４に）ＮＤＰＡ／プライマフレーム１０００およびＭＵ送信１６０２を送信する前に、第１のＳＴＡは、サウンディングポールフレーム１６１０を送信することができ、他のＳＴＡ（例えば、図５におけるＳＴＡ３およびＳＴＡ４）はＣＳＩフレーム１６０８（ＣＳＩ３およびＣＳＩ４）に応答することができる。３つのＳＴＡ（ＳＴＡ２、ＳＴＡ３、およびＳＴＡ４）は、例示的なＭＵフレーム交換１６００に伴われるけれども、そのアイディアは、より少ないまたはより多いＳＴＡと交換するために拡張されうる。
【００７５】
[0102]図１７は、ＮＤＰＡ／プライマフレーム１０００に基づいて、ブロック肯定応答（ＢＡ）およびサウンディングとの例示的なＭＵフレーム交換１７００を例示している。ＭＵフレーム交換１７００は、ＭＵ送信１６０２の後に送信されるＢＡフレーム１７０２（例えば、ＢＡ２、ＢＡ３、およびＢＡ４）およびブロック肯定応答要求（ＢＡＲ）フレーム１７０４を加えた、図１６のＭＵフレーム交換１６００に類似する。
【００７６】
[0103]図１８は、シーケンシャルアクセスに基づき、ならびにＮＤＰＡ／プライマフレーム１０００を使用して、ＢＡおよびサウンディングとの例示的なＭＵフレーム交換１８００を例示している。ＭＵフレーム交換１８００は、（ＮＤＰフレーム１６０６以外の）追加のサウンディングポールフレーム１６１０、またはＢＡＲフレーム１７０４がシーケンシャルアクセス過程において送信されないことを除いては、図１７のＭＵフレーム交換１７００に類似する。
【００７７】
[0104]図１９は、本開示のある特定の態様にしたがった、第２の装置に対してグループＩＤの指示を有するＭＵパケットを送信し、第２の装置によるグループＩＤの解釈のための第１の装置のＭＡＣアドレスを送信するための、１つまたは複数の第２の装置（例えば、他のＳＴＡ）への直接リンク送信ができる第１の装置（例えば、ＳＴＡ）で実行されうる、例示的な動作１９００を例示している。動作１９００は、１９０２において、第１の装置が第１の装置のＭＡＣアドレスを決定することで始まることができる。１９０４で、第１の装置は第２の装置にＭＵパケットを送信することができ、ここにおいてＭＵパケットは第２の装置が属するグループを示すグループＩＤの指示を備える。１９０６で、第１の装置は、ＭＡＣアドレスに基づく第２の装置によるグループＩＤの解釈のために、第２の装置に第１の装置のＭＡＣアドレスの指示を送信することができる。
【００７８】
[0105]ある特定の態様にしたがって、第１の装置は、ＭＵパケットに先立って送信されるフレーム（例えば、プライマフレーム）中のＭＡＣアドレスの指示を送信することができる。フレームは、制御フレームまたは制御拡張制御フレームのうちの少なくとも１つでありうる。ある特定の態様では、フレームは送信可（ＣＴＳ）フレームでありうる。ある特定の態様では、フレームは、グループＩＤに関連付けられた第２の装置の各々に関して、関連識別子（ＡＩＤ）の指示、および空間ストリームの数の指示を含むことができる。他の態様では、フレームは、グループＩＤに関連付けられた第２の装置の各々に関して、直接リンクの形成の際に（つまり、直接リンクが、第１の装置と、第２の装置の少なくとも１つとの間で確立される場合に）第１の装置によって割り当てられるマルチユーザ識別子（ＭＩＤ）の指示、および空間ストリームの数の指示を含むことができる。フレームは、第２の装置がＭＵパケットに対して属するグループを示す一時的なグループＩＤの指示を含むことができる。フレームは、グループＩＤに関連付けられた第２の装置の各々に関するＭＡＣアドレスの指示を含むことができる。ある特定の態様では、フレームは、再定義されたヌルデータパケットアナウンスメント（ＮＤＰＡ）フレームでありうる。ＮＤＰＡフレームのサウンディングシーケンスフィールドにおけるビットは、フレームが従来のＮＤＰＡフレームでないことを示すことができる（例えば、ヌルデータパケット（ＮＤＰ）をアナウンスしない）。
【００７９】
[0106]他の態様にしたがって、第１の装置は、ＭＵパケットのプリアンブル中のＭＡＣアドレスの指示を送信することができる。ある特定の態様では、ＭＡＣアドレスの指示は、超高スループット（ＶＨＴ）信号Ａ（ＶＨＴ−ＳＩＧ−Ａ）フィールドの後、およびプリアンブル中のトレーニングフィールド前に位置付けられうる。プリアンブル中のレガシ信号（Ｌ−ＳＩＧ）フィールドの一部は、ＭＡＣアドレスの指示がプリアンブル中に含まれることをシグナリングすることができる。
【００８０】
[0107]図２０は、本開示のある特定の態様にしたがった、ＭＵパケットで受信され、第１の装置が属するグループを示すグループＩＤを、第２の装置の受信されたＭＡＣアドレスに基づいて解釈するための、第２の装置（例えば、第２のＳＴＡ）からの直接リンク送信を受信することができる第１の装置（例えば、第１のＳＴＡ）で実行されうる、例示的な動作２０００を例示している。動作２０００は、２００２において、第１の装置が第１の装置との直接リンク送信ができる第２の装置からＭＵパケットを受信することで、始まることができ、ここにおいてＭＵパケットは、第１の装置が属するグループを示すグループＩＤの指示を備える。２００４で、第１の装置は、第２の装置のＭＡＣアドレスの指示を受信することができる。２００６で、第１の装置は、ＭＡＣアドレスに基づいてグループＩＤを解釈することができる。
【００８１】
[0108]ある特定の態様にしたがって、第１の装置は第２の装置からメッセージを受信することでき、そのメッセージは、グループへの第１の装置の割り当てを示し、ならびにグループＩＤに関する、第２の装置からグループに送信されるべき後続のＭＵパケットにおける、第１の装置に関連付けられた空間ストリームを示す。この場合では、第１の装置は、２００６において、ＭＵパケットが第２の装置によって送信され、グループＩＤが第２の装置に関連付けられるように、ＭＡＣアドレスが第２の装置に関連付けられることを決定することによってグループＩＤを解釈することができる。ある特定の態様では、第１の装置は、第１の装置に関するグループＩＤに関連付けられた空間ストリームを使用してＭＵパケットを復号することができる。ある特定の態様では、第１の装置のグループへの割り当ては、最大でもＭＵパケットの持続時間の間有効であるとして考慮されうる。他の態様では、第１の装置のグループへの割り当ては、ポイント調整機能（ＰＣＦ）インタフレーム空間（ＰＩＦＳ）よりも長いギャップが生じるまで有効であるとして考慮されうる。
【００８２】
[0109]ある特定の態様にしたがって、第１の装置は、２００４において、ＭＵパケットのプリアンブル中のＭＡＣアドレスの指示を送信することができる。ある特定の態様では、プリアンブル中のレガシ信号（Ｌ−ＳＩＧ）フィールドの一部は、ＭＡＣアドレスの指示がプリアンブル中に含まれることをシグナリングすることができる。この場合、第１の装置は、Ｌ−ＳＩＧフィールドの一部に基づいて、プリアンブル中のＭＡＣアドレスの指示を位置付けることができる。
【００８３】
[0110]ある特定の態様にしたがって、第１の装置は、２００４において、ＭＵパケットに先立って受信されたフレーム中のＭＡＣアドレスの指示を受信することができる。ある特定の態様では、第１の装置は、第１の装置が属する別のグループを示す別のグループＩＤの指示を備える別のＭＵパケットを受信することができ、ここにおいて他のＭＵパケットは、別のＭＡＣアドレスを有する別のフレームによってすぐに先行されず、他のＭＵパケットがアクセスポイント（ＡＰ）によって送信されたことを決定することができ、ＡＰによって割り当てられるように他のグループＩＤを解釈することができる。他の態様では、第１の装置は、第１の装置が属する別のグループを示す別のグループＩＤの指示を備える別のＭＵパケットを受信することができ、他のＭＵパケットに先立って受信された別のフレーム中のベーシックサービスセット識別子（ＢＳＳＩＤ）の指示を受信することができ、ＢＳＳＩＤに基づいて他のグループＩＤを解釈することができる。
【００８４】
[0111]図２１は、ＭＵパケットを第２の装置に送信するための、および第２の装置をグループに一時的に割り当てるための指示を送信するための、１つまたは複数の第２の装置（例えば、他のＳＴＡ）への直接リンク送信ができる第１の装置（例えば、ＳＴＡ）で実行されうる、例示的な動作２１００を例示している。動作２１００は、２１０２において、第１の装置が１つまたは複数の第２の装置のグループを決定することで始まることができる。２１０４で、第１の装置は、ＭＵパケットを１つまたは複数の第２の装置に送信することができる。ある特定の態様では、ＭＵパケットは、第２の装置が属するグループを示す、グループＩＤの指示を含むことができる。ある特定の態様では、ＭＵパケットのプリアンブルは、第１の装置のＭＡＣアドレスの指示を含むことができる。
【００８５】
[0112]２１０６おいて、第１の装置は、第２の装置をグループに一時的に割り当てるための指示を送信することができる。ある特定の態様では、第１の装置は、ＭＵパケットの送信に先立ってその指示を送信することができる。ある特定の態様では、第２の装置は、最大でもパケットの持続時間の間にグループに一時的に割り当てられうる。
【００８６】
[0113]ある特定の態様にしたがって、（第２の装置をグループに一時的に割り当てるための）指示は、第２の装置の各々の識別子を含むことができる。ある特定の態様では、この識別子は、関連識別子（ＡＩＤ）、マルチユーザ識別子（ＭＩＤ）、またはＭＡＣアドレスのうちの少なくとも１つを備えることができる。ある特定の態様では、指示は、第２の装置の各々に関する空間ストリーム割り当ての指示を備えることができる。ある特定の態様では、指示は、第２の装置が属するグループを示す、グループＩＤの指示を備えることができる。ＭＵパケットは、第２の装置の各々に関する空間ストリーム割り当ての指示、および／またはグループＩＤの別の指示を含むことができる。
【００８７】
[0114]ある特定の態様にしたがって、（第２の装置をグループに一時的に割り当てるための）指示は、グループアドレスである受信機アドレスの指示を含むことができる。ある特定の態様では、その指示は、ベーシックサービスセット識別子（ＢＳＳＩＤ）の指示を含むことができる。ある特定の態様では、指示は、第１の装置のＭＡＣアドレスの指示を含むことができる。
【００８８】
[0115]上記に記述された方法の様々な動作は、対応する機能を実行することができるあらゆる適切な手段によって実行されることができる。手段は、回路、特定用途向け集積回路（ＡＳＩＣ）、または、プロセッサを、これらに限定されないが含む、様々なハードウェアならびに／あるいは（１つまたは複数の）ソフトウェアのコンポーネントおよび／または（１つまたは複数の）モジュールを含むことができる。概して、動作が図中に例示されている場合、それらの動作は、同様の参照番号を付した、対応する対照のミーンズプラスファンクション（means-plus-function）コンポーネントを有すことができる。例えば、図１９に例示される動作１９００は、図１９Ａに例示された手段１９００Ａに対応する。
【００８９】
[0116]例えば、送信するための手段は、図２に描写されているユーザ端末１２０の送信機ユニット２５４、または図３に提示されているワイヤレスデバイス３０２の送信機３１０のような、送信機を備えることができる。受信するための手段は、図２に描写されているユーザ端末１２０の受信機ユニット２５４、または図３に提示されているワイヤレスデバイス３０２の受信機３１２のような、受信機を備えることができる。処理するための手段、決定するための手段、復元するための手段、復号するための手段、考慮するための手段、位置付けるための手段、および／または解釈するための手段は、図２において例示されているユーザ端末１２０のＲＸデータプロセッサ２７０、ＴＸデータプロセッサ２８８、および／または、コントローラ２８０のような、１つまたは複数のプロセッサを含むことができる、処理システムを備えることができる。
【００９０】
[0117]ここで使用されるような、「決定する」という用語は、幅広い様々な動きを網羅している。例えば、「決定する」は、算出する、計算する、処理する、導出する、調べる、検索する（例えば、表、データベース、または、別のデータ構造中において検索する）、確認する、などを含むことができる。また、「決定する」は、受信する（例えば、情報を受信する）、アクセスする（例えば、メモリ中のデータにアクセスする）など、を含むことができる。さらに、「決定する」は、解決する、選択する、選ぶ、確立するなど、を含むことができる。
【００９１】
[0118]ここで使用されるような、アイテムのリスト「のうちの少なくとも１つ」を称する表現は、単一のメンバーを含む、これらのアイテムのいずれの組み合わせも称する。例として、「ａ、ｂ、または、ｃのうちの少なくとも１つ」は、ａ、ｂ、ｃ、ａ−ｂ、ａ−ｃ、ｂ−ｃ、および、ａ−ｂ−ｃをカバーすることが意図されている。
【００９２】
[0119]本開示に関係して記述された、様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネント、あるいは、ここで記述した機能を実行するように設計されているこれらの任意の組み合わせで、インプリメントまたは実行されうる。汎用プロセッサは、マイクロプロセッサでありうるが、その代わりに、プロセッサは、商品として入手可能なプロセッサ、コントローラ、マイクロコントローラ、またはステートマシンでありうる。プロセッサはまた、例えば、ＤＳＰとマイクロプロセッサとの組み合わせ、複数のマイクロプロセッサ、ＤＳＰコアと併用した１つまたは複数のマイクロプロセッサ、あるいはあらゆる他のそのような構成のもののような、コンピューティングデバイスの組み合わせとしてインプリメントされうる。
【００９３】
[0120]本開示に関連して記述された方法またはアルゴリズムのステップは、直接、ハードウェアで、プロセッサにより実施されるソフトウェアモジュールで、あるいは、２つの組み合わせで実現されうる。ソフトウェアモジュールは、当技術分野において知られている何らかの形態の記憶媒体中に存在することができる。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭなどを含む。ソフトウェアモジュールは、単一の命令または多くの命令を備えており、いくつかの異なるコードセグメントを通して、異なるプログラム間で、および、複数の記憶媒体にわたって、分散されうる。記憶媒体は、プロセッサが記憶媒体から情報を読み取り、記憶媒体に情報を書き込むことができるように、プロセッサに結合されうる。代わりとして、記憶媒体は、プロセッサに一体化しうる。
【００９４】
[0121]ここに開示される方法は、記述された方法を達成するための１つまたは複数のステップまたは動作を備える。方法ステップおよび／または動きは、請求項の範囲から逸脱することなくお互いと交換されうる。言い換えると、ステップまたは動きの特定の順序が指定されていない限り、特定のステップおよび／または動きの順序および／または使用は、請求項の範囲から逸脱することなく、変更されうる。
【００９５】
[0122]記述された機能は、ハードウェア、ソフトウェア、ファームウェア、または、これらの何らかの組み合わせでインプリメントされうる。ハードウェアでインプリメントされた場合、例示的なハードウェア構成は、ワイヤレスノード中の処理システムを備えることができる。処理システムは、バスアーキテクチャでインプリメントされうる。バスは、処理システムの特定の適用および設計全体の制約に依存して、あらゆる数の相互接続するバスおよびブリッジを含むことができる。バスは、プロセッサ、機械可読媒体、および、バスインタフェースを含む様々な回路を共にリンクすることができる。バスインタフェースは、バスを介して、ネットワークアダプタを、とりわけ、処理システムに接続するために使用されうる。ネットワークアダプタは、ＰＨＹ層の信号処理機能をインプリメントするために使用されうる。ユーザ端末１２０の場合では（図１参照）、ユーザインターフェース（例えば、キーパッド、ディスプレイ、マウス、ジョイスティックなど）もまた、バスに接続されることができる。バスは、タイミングソース、周辺機器、電圧レギュレータ、電力管理回路などのような、他の様々な回路もリンクすることができ、これらは当技術分野においてよく知られており、これ以上記述されない。
【００９６】
[0123]プロセッサは、バスを管理すること、および機械可読媒体上に記憶されているソフトウェアの実施を含む汎用処理を担っている。プロセッサは、１つまたは複数の汎用および／または特定用途プロセッサでインプリメントされうる。例は、マイクロプロセッサ、マイクロコントローラ、ＤＳＰプロセッサ、および、ソフトウェアを実行できる他の回路を含む。ソフトウェアは、ソフトウェア、ファームウェア、ミドルウェア、マイクロコード、ハードウェア記述言語、または違う方法で称されるか否かにかかわらず、命令、データ、または、これらの何らかの組み合わせを意味するように広くみなされるべきである。機械可読媒体は、一例として、ＲＡＭ（ランダムアクセスメモリ）、フラッシュメモリ、ＲＯＭ（読取専用メモリ）、ＰＲＯＭ（プログラム可能読取専用メモリ）、ＥＰＲＯＭ（消去可能プログラム可能読取専用メモリ）、ＥＥＰＲＯＭ（電気的に消去可能プログラム可能読取専用メモリ）、レジスタ、磁気ディスク、光ディスク、ハードドライブ、または、何らかの他の適切な記憶媒体、あるいは、これらの何らかの組み合わせを含むことができる。機械可読媒体は、コンピュータプログラム製品で実現されうる。コンピュータプログラム製品は、パッケージ材料を備えることができる。
【００９７】
[0124]ハードウェアインプリメンテーションでは、機械可読媒体は、プロセッサとは別個の処理システムの一部でありうる。しかしながら、当業者が容易に認識することになるように、機械可読媒体またはその何らかの一部は、処理システムの外部にある場合がある。例として、機械可読媒体は、伝送回線、データによって変調された搬送波、および／またはワイヤレスノードとは別個のコンピュータ製品を含み、そのすべてはバスインタフェースを通じてプロセッサによってアクセスされうる。代わりとして、もしくは加えて、機械可読媒体、もしくはその任意の部分は、キャッシュ、および／もしくは一般的なレジスタファイルを伴うような場合、プロセッサに一体化されうる。
【００９８】
[0125]処理システムは、プロセッサ機能性を提供する１つまたは複数のマイクロプロセッサ、および機械可読媒体の少なくとも一部を提供する外部メモリを有し、すべてが外部バスアーキテクチャを通して他の支援回路と共にリンクされている、汎用処理システムとして構成されうる。代わりとして、処理システムは、プロセッサと、バスインタフェースと、（アクセス端末のケースでは）ユーザ端末と、支援回路と、単一のチップ中に統合されている機械読取可能媒体の少なくとも一部とを持つＡＳＩＣ（特定用途向け集積回路）によってインプリメントされ、あるいは、１つまたは複数のＦＰＧＡ（フィールドプログラム可能ゲートアレイ）、ＰＬＤ（プログラム可能論理デバイス）、コントローラ、状態機械、ゲート論理、ディスクリートハードウェアコンポーネント、または、何らかの他の適切な回路、もしくは、本開示全体を通して記述された様々な機能を実行できる回路の何らかの組み合わせによって、インプリメントされうる。当業者は、システム全体に課された全体的な設計の制約および特定の適用に依存して、処理システムに関して記述された機能を実現することがどれほど最善かを認識するだろう。
【００９９】
[0126]機械可読媒体は、多くのソフトウェアモジュールを備えることができる。ソフトウェアモジュールは、プロセッサによって実行されるときに、処理システムに様々な機能を実行させる命令を含む。ソフトウェアモジュールは、送信モジュールおよび受信モジュールを含むことができる。各ソフトウェアモジュールは、単一の記憶デバイス中に存在することができ、または、複数の記憶デバイスにわたって分散されうる。例として、ソフトウェアモジュールは、トリガイベントが生じたときに、ハードドライブからＲＡＭにロードされうる。ソフトウェアモジュールの実施の間、プロセッサは、アクセススピードを増加させるために、命令のうちのいくつかをキャッシュにロードすることができる。その後、１つまたは複数のキャッシュラインが、プロセッサによる実施のために汎用レジスタファイルにロードされうる。以下でソフトウェアモジュールの機能に言及する場合、そのような機能は、そのソフトウェアモジュールから命令が実行されるとき、プロセッサによってインプリメントされるということが理解されるであろう。
【０１００】
[0127]ソフトウェアでインプリメントされる場合に、機能は、１つまたは複数の命令またはコードとして、コンピュータ可読媒体上に記憶、または送信されうる。コンピュータ可読媒体は、１つの場所から別の場所へのコンピュータプログラムの転送を促進する何らかの媒体を含むコンピュータ記憶媒体および通信媒体の両方を含む。記憶媒体は、コンピュータによってアクセスされることができる何らかの利用可能な媒体でありうる。例として、このようなコンピュータ可読媒体は、ＲＡＭ、ＲＯＭ、ＥＥＰＲＯＭ、ＣＤ−ＲＯＭ、または、他の光ディスク記憶装置、磁気ディスク記憶装置または他の磁気記憶デバイス、あるいは、コンピュータによってアクセスされることができ、命令またはデータ構造の形態で、所望のプログラムコードを搬送または記憶するために使用されることができる何らかの他の媒体を、これらに限定されないが、備えることができる。また、いずれの接続も、コンピュータ可読媒体と正確に呼ばれる。例えば、ソフトウェアが、ウェブサイト、サーバ、または他の遠隔ソースから、同軸ケーブル、光ファイバーケーブル、ツイストペア、デジタル加入者回線（ＤＳＬ）、または赤外線（ＩＲ）、無線、およびマイクロ波のような無線技術を使用して送信される場合、同軸ケーブル、光ファイバーケーブル、ツイストペア、ＤＳＬ、または赤外線、無線、およびマイクロ波のような無線技術は、媒体の定義に含まれる。ここで使用されるようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含み、ここにおいて一般的に、ディスク（ｄｉｓｋ）は、データを磁気的に再生する一方で、ディスク（ｄｉｓｃ）はデータをレーザによって光学的に再生する。したがって、いくつかの態様では、コンピュータ可読媒体は、一時的でないコンピュータ可読媒体（例えば、有体的媒体）を備えることができる。加えて、他の態様では、コンピュータ可読媒体は、一時的なコンピュータ可読媒体（例えば、信号）を備えることができる。上記の組み合わせもまた、コンピュータ可読媒体の範囲内に含まれるべきである。
【０１０１】
[0128]したがって、ある特定の態様は、ここで表された動作を実行するためのコンピュータプログラム製品を備えることができる。例えば、このようなコンピュータプログラム製品は、その上に命令を記憶（および／または、エンコード）させるコンピュータ可読媒体を備え、命令は、ここで記述された動作を実行するために１つまたは複数のプロセッサによって実行可能である。ある特定の態様では、コンピュータプログラム製品は、パッケージングマテリアルを含むことができる。
【０１０２】
[0129]さらに、モジュールおよび／またはここで記述された方法および技法を実行するための他の適した手段が、ユーザ端末および／または基地局によって、適宜、ダウンロード、ならびに／あるいは、そうでなければ取得されることができる。例えば、このようなデバイスは、ここで記述された方法を実行するための手段の転送を促進するために、サーバに結合されることができる。代わりとして、ユーザ端末および／または基地局が、記憶手段をデバイスに結合、または提供する際に、様々な方法を取得できるように、ここで記述された様々な方法は、記憶手段（例えば、ＲＡＭ、ＲＯＭ、コンパクトディスク（ＣＤ）もしくはフロッピーディスクのような物理記憶媒体など）を介して提供されることができる。さらに、ここで記述された方法および技術をデバイスに提供するための何らかの他の適切な技法が利用されることができる。
【０１０３】
[0130]特許請求の範囲は、上記で例示された精密な構成およびコンポーネントに限定されないことは理解されるべきである。特許請求の範囲から逸脱することなく、上記で記述された方法および装置の、配列、動作、および詳細において、様々な変更、修正、およびバリエーションが行われうる。
以下に、本願出願の当初の特許請求の範囲に記載された発明を付記する。
［Ｃ１］
下記を備える、ワイヤレス通信のための第１の装置；
前記第１の装置の媒体アクセス制御（ＭＡＣ）アドレスを決定するように構成された処理システムと、
下記を行うように構成される、送信機；
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記グループＩＤの解釈のために、前記第１の装置の前記ＭＡＣアドレスの指示を前記１つまたは複数の第２の装置に送信すること。
［Ｃ２］
前記送信機は、前記ＭＵパケットのプリアンブル中の前記ＭＡＣアドレスの前記指示を送信するように構成され、前記ＭＡＣアドレスの前記指示は、超高スループット（ＶＨＴ）信号Ａ（ＶＨＴ−ＳＩＧ−Ａ）フィールドの後、および前記プリアンブル中のトレーニングフィールドの前に位置付けられる、Ｃ１に記載の第１の装置。
［Ｃ３］
前記送信機は、前記ＭＵパケットのプリアンブル中の前記ＭＡＣアドレスの前記指示を送信するように構成され、前記プリアンブル中のレガシ信号（Ｌ−ＳＩＧ）フィールドの一部は、前記ＭＡＣアドレスの前記指示が前記プリアンブル中に含まれることをシグナリングする、Ｃ１に記載の第１の装置
［Ｃ４］
前記送信機は、前記ＭＵパケットに先立って送信されるフレーム中の前記ＭＡＣアドレスの前記指示を送信するように構成され、前記フレームは、制御フレームまたは制御拡張制御フレームのうちの少なくとも１つである、Ｃ１に記載の第１の装置。
［Ｃ５］
前記送信機は、前記ＭＵパケットに先立って送信されるフレーム中の前記ＭＡＣアドレスの前記指示を送信するように構成され、前記フレームは送信可（ＣＴＳ）フレームである、Ｃ１に記載の第１の装置。
［Ｃ６］
前記送信機は、前記ＭＵパケットに先立って送信されるフレーム中の前記ＭＡＣアドレスの前記指示を送信するように構成され、前記フレームは、前記グループＩＤと関連付けられた前記１つまたは複数の第２の装置のうちの少なくとも１つに関して下記を備えるＣ１に記載の第１の装置；
空間ストリームの数の指示と、
直接リンクが前記第１の装置と前記１つまたは複数の第２の装置のうちの前記少なくとも１つとの間に確立された場合に前記第１の装置によって割り当てられた、マルチユーザ識別子（ＭＩＤ）の指示または関連識別子（ＡＩＤ）の指示。
［Ｃ７］
前記送信機は、前記ＭＵパケットに先立って送信されるフレーム中の前記ＭＡＣアドレスの前記指示を送信するように構成され、前記フレームは、前記１つまたは複数の第２の装置が前記ＭＵパケットに対して属する前記グループを示す一時的なグループＩＤの指示を備える、Ｃ１に記載の第１の装置。
［Ｃ８］
前記送信機は、前記ＭＵパケットに先立って送信されるフレーム中の前記ＭＡＣアドレスの前記指示を送信するように構成され、前記フレームは、再定義されたヌルデータパケットアナウンスメント（ＮＤＰＡ）フレームであり、前記再定義されたＮＤＰＡフレームのサウンディングシーケンスフィールド中のビットは、前記フレームが従来のＮＤＰＡフレームでないことを示す、Ｃ１に記載の第１の装置。
［Ｃ９］
前記送信機は、前記ＭＵパケットに先立って送信されるフレーム中の前記第１の装置の前記ＭＡＣアドレスの前記指示を送信するように構成され、前記フレームは、前記グループＩＤに関連付けられた前記１つまたは複数の第２の装置の各々に関するＭＡＣアドレスの指示を備える、Ｃ１に記載の第１の装置。
［Ｃ１０］
下記を備える、ワイヤレス通信のための方法；
第１の装置の媒体アクセス制御（ＭＡＣ）アドレスを決定することと、
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記グループＩＤの解釈のために、前記第１の装置の前記ＭＡＣアドレスの指示を前記１つまたは複数の第２の装置に送信すること。
［Ｃ１１］
前記ＭＡＣアドレスの前記指示を送信することは、前記ＭＵパケットのプリアンブル中の前記ＭＡＣアドレスの前記指示を送信することを備え、前記ＭＡＣアドレスの前記指示は、超高スループット（ＶＨＴ）信号Ａ（ＶＨＴ−ＳＩＧ−Ａ）フィールドの後、および前記プリアンブル中のトレーニングフィールドの前に位置付けられる、Ｃ１０に記載の方法。
［Ｃ１２］
前記ＭＡＣアドレスの前記指示を送信することは、前記ＭＵパケットのプリアンブル中の前記ＭＡＣアドレスの前記指示を送信することを備え、前記プリアンブル中のレガシ信号（Ｌ−ＳＩＧ）フィールドの一部は、前記ＭＡＣアドレスの前記指示が前記プリアンブル中に含まれることをシグナリングする、Ｃ１０に記載の方法。
［Ｃ１３］
前記ＭＡＣアドレスの前記指示を送信することは、前記ＭＵパケットに先立って送信されるフレーム中の前記ＭＡＣアドレスの前記指示を送信することを備え、前記フレームは、制御フレームまたは制御拡張制御フレームのうちの少なくとも１つである、Ｃ１０に記載の方法。
［Ｃ１４］
前記ＭＡＣアドレスの前記指示を送信することは、前記ＭＵパケットに先立って送信されるフレーム中の前記ＭＡＣアドレスの前記指示を送信することを備え、前記フレームは、送信可（ＣＴＳ）フレームである、Ｃ１０に記載の方法。
［Ｃ１５］
前記ＭＡＣアドレスの前記指示を送信することは、前記ＭＵパケットに先立って送信されるフレーム中の前記ＭＡＣアドレスの前記指示を送信することを備え、前記フレームは、前記グループＩＤと関連付けられた前記１つまたは複数の第２の装置のうちの少なくとも１つに関して下記を備えるＣ１０に記載の方法；
空間ストリームの数の指示と、
直接リンクが前記第１の装置と前記１つまたは複数の第２の装置のうちの前記少なくとも１つとの間に確立された場合に前記第１の装置によって割り当てられた、マルチユーザ識別子（ＭＩＤ）の指示または関連識別子（ＡＩＤ）の指示。
［Ｃ１６］
前記ＭＡＣアドレスの前記指示を送信することは、前記ＭＵパケットに先立って送信されるフレーム中の前記ＭＡＣアドレスの前記指示を送信することを備え、前記フレームは、前記１つまたは複数の第２の装置が前記ＭＵパケットに対して属する前記グループを示す一時的なグループＩＤの指示を備える、Ｃ１０に記載の方法。
［Ｃ１７］
前記ＭＡＣアドレスの前記指示を送信することは、前記ＭＵパケットに先立って送信されるフレーム中の前記ＭＡＣアドレスの前記指示を送信することを備え、前記フレームは、再定義されたヌルデータパケットアナウンスメント（ＮＤＰＡ）フレームであり、前記再定義されたＮＤＰＡフレームのサウンディングシーケンスフィールド中のビットは、前記フレームが従来のＮＤＰＡフレームでないことを示す、Ｃ１０に記載の方法。
［Ｃ１８］
前記ＭＡＣアドレスの前記指示を送信することは、前記ＭＵパケットに先立って送信されるフレーム中の前記第１の装置の前記ＭＡＣアドレスの前記指示を送信することを備え、前記フレームは、前記グループＩＤに関連付けられた前記１つまたは複数の第２の装置の各々に関するＭＡＣアドレスの指示を備える、Ｃ１０に記載の方法。
［Ｃ１９］
下記を備える、ワイヤレス通信のための第１の装置；
前記第１の装置の媒体アクセス制御（ＭＡＣ）アドレスを決定するための手段と、
マルチユーザ（ＭＵ）パケットを１つまたは複数の第２の装置に送信するための手段、ここにおいて、前記ＭＵパケットは、前記１つまたは複数の第２の装置が属するグループを示すグループ識別子（ＩＤ）の指示を備え、前記送信するための手段はまた、前記グループＩＤの解釈のために、前記１つまたは複数の第２の装置に前記第１の装置の前記ＭＡＣアドレスの指示を送信するように構成される。
［Ｃ２０］
前記送信するための手段は、前記ＭＵパケットのプリアンブル中の前記ＭＡＣアドレスの前記指示を送信するように構成され、前記ＭＡＣアドレスの前記指示は、超高スループット（ＶＨＴ）信号Ａ（ＶＨＴ−ＳＩＧ−Ａ）フィールドの後、および前記プリアンブル中のトレーニングフィールドの前に位置付けられる、Ｃ１９に記載の第１の装置。
［Ｃ２１］
前記送信するための手段は、前記ＭＵパケットのプリアンブル中の前記ＭＡＣアドレスの前記指示を送信するように構成され、前記プリアンブル中のレガシ信号（Ｌ−ＳＩＧ）フィールドの一部は、前記ＭＡＣアドレスの前記指示が前記プリアンブル中に含まれることをシグナリングする、Ｃ１９に記載の第１の装置
［Ｃ２２］
前記送信するための手段は、前記ＭＵパケットに先立って送信されるフレーム中の前記ＭＡＣアドレスの前記指示を送信するように構成され、前記フレームは、制御フレームまたは制御拡張制御フレームのうちの少なくとも１つである、Ｃ１９に記載の第１の装置。
［Ｃ２３］
前記送信するための手段は、前記ＭＵパケットに先立って送信されるフレーム中の前記ＭＡＣアドレスの前記指示を送信するように構成され、前記フレームは送信可（ＣＴＳ）フレームである、Ｃ１９に記載の第１の装置。
［Ｃ２４］
前記送信するための手段は、前記ＭＵパケットに先立って送信されるフレーム中の前記ＭＡＣアドレスの前記指示を送信するように構成され、前記フレームは、前記グループＩＤと関連付けられた前記１つまたは複数の第２の装置のうちの少なくとも１つに関して下記を備えるＣ１９に記載の第１の装置； 
空間ストリームの数の指示と、
直接リンクが前記第１の装置と前記１つまたは複数の第２の装置のうちの前記少なくとも１つとの間に確立された場合に前記第１の装置によって割り当てられた、マルチユーザ識別子（ＭＩＤ）の指示または関連識別子（ＡＩＤ）の指示。
［Ｃ２５］
前記送信するための手段は、前記ＭＵパケットに先立って送信されるフレーム中の前記ＭＡＣアドレスの前記指示を送信するように構成され、前記フレームは、前記１つまたは複数の第２の装置が前記ＭＵパケットに対して属する前記グループを示す一時的なグループＩＤの指示を備える、Ｃ１９に記載の第１の装置。
［Ｃ２６］
前記送信するための手段は、前記ＭＵパケットに先立って送信されるフレーム中の前記ＭＡＣアドレスの前記指示を送信するように構成され、前記フレームは、再定義されたヌルデータパケットアナウンスメント（ＮＤＰＡ）フレームであり、前記再定義されたＮＤＰＡフレームのサウンディングシーケンスフィールド中のビットは、前記フレームが従来のＮＤＰＡフレームでないことを示す、Ｃ１９に記載の第１の装置。
［Ｃ２７］
前記送信するための手段は、前記ＭＵパケットに先立って送信されるフレーム中の前記第１の装置の前記ＭＡＣアドレスの前記指示を送信するように構成され、前記フレームは、前記グループＩＤに関連付けられた前記１つまたは複数の第２の装置の各々に関するＭＡＣアドレスの指示を備える、Ｃ１９に記載の第１の装置。
［Ｃ２８］
下記を実行可能な命令を備えるコンピュータ可読媒体を備える、ワイヤレス通信のためのコンピュータプログラム製品；
第１の装置の媒体アクセス制御（ＭＡＣ）アドレスを決定することと、
マルチユーザ（ＭＵ）パケットを１つまたは複数の第２の装置に送信することと、ここにおいて、前記ＭＵパケットは、前記１つまたは複数の第２の装置が属するグループを示すグループ識別子（ＩＤ）の指示を備える、
前記グループＩＤの解釈のために、前記第１の装置の前記ＭＡＣアドレスの指示を前記１つまたは複数の第２の装置に送信すること。
［Ｃ２９］
下記を備える、ワイヤレスノード；
少なくとも１つのアンテナと、
前記ワイヤレスノードの媒体アクセス制御（ＭＡＣ）アドレスを決定するように構成された処理システムと、
下記を行うように構成される、送信機；
前記少なくとも１つのアンテナを介してマルチユーザ（ＭＵ）パケットを１つまたは複数の装置に送信することと、ここにおいて、前記ＭＵパケットは、前記１つまたは複数の装置が属するグループを示すグループ識別子（ＩＤ）の指示を備える、
前記少なくとも１つのアンテナを介して、前記グループＩＤの解釈のために、前記ワイヤレスノードの前記ＭＡＣアドレスの指示を前記１つまたは複数の装置に送信すること。
［Ｃ３０］
下記を備える、ワイヤレス通信のための第１の装置；
下記を行うように構成される受信機と；
マルチユーザ（ＭＵ）パケットを第２の装置から受信することと、ここにおいて、前記ＭＵパケットは、前記第１の装置が属するグループを示すグループ識別子（ＩＤ）の指示を備え、
前記第２の装置の媒体アクセス制御（ＭＡＣ）アドレスの指示を受信すること、
前記ＭＡＣアドレスに基づいて前記グループＩＤを解釈するように構成された処理システム。
［Ｃ３１］
前記処理システムは、前記ＭＵパケットが前記第２の装置によって送信された、ならびに前記グループＩＤが前記第２の装置に関連付けられるように、前記ＭＡＣアドレスが前記第２の装置に関連付けられることを決定することによって前記グループＩＤを解釈するように構成される、Ｃ３０に記載の第１の装置。
［Ｃ３２］
前記受信機は、前記第２の装置からメッセージを受信するように構成され、前記メッセージは、前記グループへの前記第１の装置の割り当てを示し、ならびに前記グループＩＤに関して前記第２の装置から前記グループに送信されるべきＭＵパケットにおける前記第１の装置に関連付けられた空間ストリームを示す、Ｃ３０に記載の第１の装置。
［Ｃ３３］
前記第１の装置に対する前記グループＩＤに関連付けられた前記空間ストリームを使用して前記ＭＵパケットを復号することをさらに備える、Ｃ３２に記載の第１の装置。
［Ｃ３４］
前記処理システムは、最大でも前記ＭＵパケットの持続時間の間、または、ポイント調整機能（ＰＣＦ）インタフレーム空間（ＰＩＦＳ）よりも長いギャップが生じるまで有効であるとして、前記グループへの前記第１の装置の前記割り当てを考慮するようにさらに構成される、Ｃ３２に記載の第１の装置。
［Ｃ３５］
前記受信機は、前記ＭＵパケットのプリアンブル中の前記ＭＡＣアドレスの前記指示を受信するように構成され、前記プリアンブル中のレガシ信号（Ｌ−ＳＩＧ）フィールドの一部は、前記ＭＡＣアドレスの前記指示が前記プリアンブル中に含まれることをシグナリングし、前記処理システムは、前記Ｌ−ＳＩＧフィールドの前記一部に基づいて、前記プリアンブル中の前記ＭＡＣアドレスの前記指示を位置付けする、Ｃ３０に記載の第１の装置。
［Ｃ３６］
前記受信機は、前記ＭＵパケットに先立って受信されるフレーム中の前記ＭＡＣアドレスの前記指示を受信するように構成され、前記受信機はさらに、前記第１の装置が属する別のグループを示す別のグループＩＤの指示を備える別のＭＵパケットを受信するように構成され、前記他のＭＵパケットは別のＭＡＣアドレスを有する別のフレームにすぐに先行されず、前記処理システムは下記を行うように構成される、Ｃ３０に記載の第１の装置；
前記他のＭＵパケットがアクセスポイント（ＡＰ）によって送信されたことを決定することと、
前記ＡＰによって割り当てられたとして前記他のグループＩＤを解釈すること。
［Ｃ３７］
前記受信機は、前記ＭＵパケットに先立って受信されるフレーム中の前記ＭＡＣアドレスの前記指示を受信するように構成され、前記受信機はさらに下記を行うように構成される、Ｃ３０に記載の第１の装置；
前記第１の装置が属する別のグループを示す別のグループＩＤの指示を備える別のＭＵパケットを受信することと、
前記他のＭＵパケットに先立って受信された別のフレーム中のベーシックサービスセット識別子（ＢＳＳＩＤ）の指示を受信すること、ここにおいて前記処理システムは前記ＢＳＳＩＤに基づいて前記他のグループＩＤを解釈するように構成される。
［Ｃ３８］
下記を備える、ワイヤレス通信のための方法；
第１の装置で、マルチユーザ（ＭＵ）パケットを第２の装置から受信することと、ここにおいて、前記ＭＵパケットは、前記第１の装置が属するグループを示すグループ識別子（ＩＤ）の指示を備え、
前記第２の装置の媒体アクセス制御（ＭＡＣ）アドレスの指示を受信することと、
前記ＭＡＣアドレスに基づいて前記グループＩＤを解釈すること。
［Ｃ３９］
前記解釈することは、前記ＭＵパケットが前記第２の装置によって送信され、ならびに前記グループＩＤが前記第２の装置に関連付けられるように、前記ＭＡＣアドレスが前記第２の装置に関連付けられることを決定することによって前記グループＩＤを解釈することを備える、Ｃ３８に記載の方法。
［Ｃ４０］
前記第２の装置からメッセージを受信することをさらに備え、前記メッセージは、前記グループへの前記第１の装置の割り当てを示し、ならびに前記グループＩＤに関して前記第２の装置から前記グループに送信されるべきＭＵパケットにおける前記第１の装置に関連付けられた空間ストリームを示す、Ｃ３８に記載の方法。
［Ｃ４１］
前記第１の装置に対する前記グループＩＤに関連付けられた前記空間ストリームを使用して前記ＭＵパケットを復号することをさらに備える、Ｃ４０に記載の方法。
［Ｃ４２］
最大でも前記ＭＵパケットの持続時間の間、または、ポイント調整機能（ＰＣＦ）インタフレーム空間（ＰＩＦＳ）よりも長いギャップが生じるまで有効であるとして、前記グループへの前記第１の装置の前記割り当てを考慮することをさらに備える、Ｃ４０に記載の方法。
［Ｃ４３］
前記ＭＡＣアドレスの前記指示を受信することは、前記ＭＵパケットのプリアンブル中の前記ＭＡＣアドレスの前記指示を受信することを備え、前記プリアンブル中のレガシ信号（Ｌ−ＳＩＧ）フィールドの一部は、前記ＭＡＣアドレスの前記指示が前記プリアンブル中に含まれることをシグナリングし、前記方法はさらに、前記Ｌ−ＳＩＧフィールドの前記一部に基づいて、プリアンブル中の前記ＭＡＣアドレスの前記指示を位置付けすることを備える、Ｃ３８に記載の方法。
［Ｃ４４］
前記ＭＡＣアドレスの前記指示を受信することは、前記ＭＵパケットに先立って受信されるフレーム中の前記ＭＡＣアドレスの前記指示を受信することを備え、前記方法はさらに下記を備えるＣ３８に記載の方法；
前記第１の装置が属する別のグループを示す別のグループＩＤの指示を備える別のＭＵパケットを受信することと、ここにおいて前記他のＭＵパケットは、別のＭＡＣアドレスを有する別のフレームにすぐに先行されない、
前記他のＭＵパケットがアクセスポイント（ＡＰ）によって送信されたことを決定することと、
前記ＡＰによって割り当てられたとして前記他のグループＩＤを解釈すること。
［Ｃ４５］
前記ＭＡＣアドレスの前記指示を受信することは、前記ＭＵパケットに先立って受信されるフレーム中の前記ＭＡＣアドレスの前記指示を受信することを備え、前記方法はさらに下記を備えるＣ３８に記載の方法；
前記第１の装置が属する別のグループを示す別のグループＩＤの指示を備える別のＭＵパケットを受信することと、
前記他のＭＵパケットに先立って受信された別のフレーム中のベーシックサービスセット識別子（ＢＳＳＩＤ）の指示を受信することと、
前記ＢＳＳＩＤに基づいて前記他のグループＩＤを解釈すること。
［Ｃ４６］
下記を備える、ワイヤレス通信のための第１の装置；
第２の装置からマルチユーザ（ＭＵ）パケットを受信するための手段と、ここにおいて、前記ＭＵパケットは、前記第１の装置が属するグループを示すグループ識別子（ＩＤ）の指示を備え、前記受信するための手段はさらに、前記第２の装置の媒体アクセス制御（ＭＡＣ）アドレスの指示を受信するように構成され、
前記ＭＡＣアドレスに基づいて前記グループＩＤを解釈するための手段。
［Ｃ４７］
前記解釈するための手段は、前記ＭＵパケットが前記第２の装置によって送信され、ならびに前記グループＩＤが前記第２の装置に関連付けられるように、前記ＭＡＣアドレスが前記第２の装置に関連付けられることを決定することによって前記グループＩＤを解釈するように構成される、Ｃ４６に記載の第１の装置。
［Ｃ４８］
前記受信するための手段は、前記第２の装置からメッセージを受信するように構成され、前記メッセージは、前記グループへの前記第１の装置の割り当てを示し、ならびに前記グループＩＤに関して前記第２の装置から前記グループに送信されるべきＭＵパケットにおける前記第１の装置に関連付けられた空間ストリームを示す、Ｃ４６に記載の第１の装置。
［Ｃ４９］
前記第１の装置に対する前記グループＩＤに関連付けられた前記空間ストリームを使用して前記ＭＵパケットを復号するための手段をさらに備える、Ｃ４８に記載の第１の装置。
［Ｃ５０］
最大でも前記ＭＵパケットの持続時間の間、または、ポイント調整機能（ＰＣＦ）インタフレーム空間（ＰＩＦＳ）よりも長いギャップが生じるまで有効であるとして、グループへの第１の装置の前記割り当てを考慮するための手段をさらに備える、Ｃ４８に記載の第１の装置。
［Ｃ５１］
前記受信するための手段は、前記ＭＵパケットのプリアンブル中の前記ＭＡＣアドレスの前記指示を受信するように構成され、前記プリアンブル中のレガシ信号（Ｌ−ＳＩＧ）フィールドの一部は、前記ＭＡＣアドレスの前記指示が前記プリアンブル中に含まれることをシグナリングし、前記第１の装置はさらに、前記Ｌ−ＳＩＧフィールドの前記一部に基づいて、前記プリアンブル中の前記ＭＡＣアドレスの前記指示を位置付けするための手段を備える、Ｃ４６に記載の第１の装置。
［Ｃ５２］
前記受信するための手段は、下記を行うように構成されるＣ４６に記載の第１の装置；
前記ＭＵパケットに先立って受信されるフレーム中の前記ＭＡＣアドレスの前記指示を受信することと、
前記第１の装置が属する別のグループを示す別のグループＩＤの指示を備える別のＭＵパケットを受信することと、ここにおいて前記他のＭＵパケットは、別のＭＡＣアドレスを有する別のフレームにすぐに先行されず、前記第１の装置はさらに下記を備える；
前記他のＭＵパケットがアクセスポイント（ＡＰ）によって送信されたことを決定するための手段と、
前記ＡＰによって割り当てられたとして前記他のグループＩＤを解釈するための手段。
［Ｃ５３］
前記受信するための手段は、下記を行うように構成されるＣ４６に記載の第１の装置；
前記ＭＵパケットに先立って受信されるフレーム中の前記ＭＡＣアドレスの前記指示を受信することと、
前記第１の装置が属する別のグループを示す別のグループＩＤの指示を備える別のＭＵパケットを受信することと、
前記他のＭＵパケットに先立って受信された別のフレーム中のベーシックサービスセット識別子（ＢＳＳＩＤ）の指示を受信すること、ここにおいて前記解釈するための手段は前記ＢＳＳＩＤに基づいて前記他のグループＩＤを解釈するように構成される。
［Ｃ５４］
下記を実行可能な命令を備えるコンピュータ可読媒体を備える、ワイヤレス通信のためのコンピュータプログラム製品；
第１の装置で、マルチユーザ（ＭＵ）パケットを第２の装置から受信することと、ここにおいて、前記ＭＵパケットは、前記第１の装置が属するグループを示すグループ識別子（ＩＤ）の指示を備え、
前記第２の装置の媒体アクセス制御（ＭＡＣ）アドレスの指示を受信することと、
前記ＭＡＣアドレスに基づいて前記グループＩＤを解釈すること。
［Ｃ５５］
下記を備える、ワイヤレスノード；
少なくとも１つのアンテナと、
下記を行うように構成される受信機と；
前記少なくとも１つのアンテナを介してマルチユーザ（ＭＵ）パケットを装置から受信することと、ここにおいて前記ＭＵパケットは、前記ワイヤレスノードが属するグループを示すグループ識別子（ＩＤ）の指示を備える、
前記少なくとも１つのアンテナを介して前記装置の媒体アクセス制御（ＭＡＣ）アドレスの指示を受信すること、
前記ＭＡＣアドレスに基づいて前記グループＩＤを解釈するように構成された処理システム。
【図１】
0005731019.tif 000002
【図２】
0005731019.tif 000003
【図３】
0005731019.tif 000004
【図４】
0005731019.tif 000005
【図５】
0005731019.tif 000006
【図６】
0005731019.tif 000007
【図７】
0005731019.tif 000008
【図８】
0005731019.tif 000009
【図９】
0005731019.tif 000010
【図１０】
0005731019.tif 000011
【図１１】
0005731019.tif 000012
【図１２】
0005731019.tif 000013
【図１３】
0005731019.tif 000014
【図１４】
0005731019.tif 000015
【図１５】
0005731019.tif 000016
【図１６】
0005731019.tif 000017
【図１７】
0005731019.tif 000018
【図１８】
0005731019.tif 000019
【図１９】
0005731019.tif 000020
【図１９Ａ】
0005731019.tif 000021
【図２０】
0005731019.tif 000022
【図２０Ａ】
0005731019.tif 000023
【図２１】
0005731019.tif 000024
【図２１Ａ】
0005731019.tif 000025